(57)【特許請求の範囲】
【請求項１】
トータル利得設定値に応じて入力信号の電力制御を行う電力制御回路において、
第１利得設定値に応じて所定の利得制御幅で前記入力信号を増幅させる微調可変増幅手段と、
第２利得設定値に応じて前記微調可変増幅手段よりも大きい利得制御幅で前記入力信号を増幅させる粗調可変増幅手段と、
前記微調可変増幅手段及び前記粗調可変増幅手段により電力制御された出力信号をフィードバック信号として分岐させる分岐手段と、
前記フィードバック信号と前記トータル利得設定値とを比較する比較手段と、
前記トータル利得設定値に基づいて第１利得設定値及び第２利得設定値を決定し、この第１利得設定値を微調可変増幅手段へ送り、この第２利得設定値を粗調可変増幅手段へ送る制御手段と、
前記比較手段の比較結果に応じて、前記フィードバック信号の電力が前記トータル利得設定値に応じた信号電力となるように、前記制御手段で決定される第１利得設定値及び第２利得設定値を調整する調整手段と、
を備え、
前記粗調可変増幅手段は、前記第２利得設定値に含まれる通常設定値に応じた利得により前記入力信号を増幅させる通常モードと、前記第２利得設定値に含まれる予備設定値に応じた、通常設定値に対応する利得とは異なる利得により、前記入力信号を増幅させる調整モードとを有し、
前記調整手段は、前記比較手段により前記フィードバック信号の電力が前記トータル利得設定値に応じた信号電力より大きいと判断される場合には、前記粗調可変増幅手段を前記通常モードから前記調整モードに移行させる、
電力制御回路。
【請求項２】
較正指示信号を受けると、前記トータル利得設定値を模擬的に決定する較正手段を更に備え、
前記比較手段は、前記較正指示信号を受けた後のフィードバック信号と前記較正手段により決定されたトータル利得設定値とを比較し、
前記調整手段は、前記比較手段の比較結果に応じた調整により、前記較正指示信号を受
けた後のフィードバック信号の電力が前記較正手段により決定されたトータル利得設定値に応じた信号電力となった場合に、そのときに決定されている第１利得設定値及び第２利得設定値がそのトータル利得設定値が外部から送られてきた際に即座に決定されるように前記制御手段に設定する、
請求項１に記載の電力制御回路。
【請求項３】
前記調整手段は、前記較正指示信号を受けた後のフィードバック信号の電力が前記較正手段により決定されたトータル利得設定値に応じた信号電力より大きくなる場合には、そのトータル利得設定値が外部から送られてきた際に即座に前記第２利得設定値として前記予備設定値が利用されるように、前記制御手段に設定する請求項２に記載の電力制御回路。
【請求項４】
トータル利得設定値に応じて入力信号の電力制御を行う電力制御回路において、
第１利得設定値に応じて所定の利得制御幅で前記入力信号を増幅させる微調可変増幅手段と、
第２利得設定値に応じて前記微調可変増幅手段よりも大きい利得制御幅で前記入力信号を増幅させる粗調可変増幅手段と、
前記微調可変増幅手段及び前記粗調可変増幅手段により電力制御された出力信号をフィードバック信号として分岐させる分岐手段と、
前記フィードバック信号と前記トータル利得設定値とを比較する比較手段と、
前記トータル利得設定値に基づいて第１利得設定値及び第２利得設定値を決定し、この第１利得設定値を微調可変増幅手段へ送り、この第２利得設定値を粗調可変増幅手段へ送る制御手段と、
前記比較手段の比較結果に応じて、前記フィードバック信号の電力が前記トータル利得設定値に応じた信号電力となるように、前記制御手段で決定される第１利得設定値及び第２利得設定値を調整する調整手段と、
を備え、
前記微調可変増幅手段は、前記第１利得設定値に含まれる通常設定値に応じた利得により前記入力信号を増幅させる通常モードと、この通常設定値で取り得る利得範囲を超えた範囲における、前記第１利得設定値に含まれる予備設定値に応じた利得により、前記入力信号を増幅させる調整モードとを有し、
前記調整手段は、前記比較手段により前記フィードバック信号の電力が前記トータル利得設定値に応じた信号電力より大きいと判断される場合には、前記微調可変増幅手段を前記通常モードから前記調整モードに移行させる、
電力制御回路。
【請求項５】
較正指示信号を受けると、前記トータル利得設定値を模擬的に決定する較正手段を更に備え、
前記比較手段は、前記較正指示信号を受けた後のフィードバック信号と前記較正手段により決定されたトータル利得設定値とを比較し、
前記調整手段は、前記比較手段の比較結果に応じた調整により、前記較正指示信号を受けた後のフィードバック信号の電力が前記較正手段により決定されたトータル利得設定値に応じた信号電力となった場合に、そのときに決定されている第１利得設定値及び第２利得設定値がそのトータル利得設定値が外部から送られてきた際に即座に決定されるように前記制御手段に設定する、
請求項４に記載の電力制御回路。
【請求項６】
前記調整手段は、前記較正指示信号を受けた後のフィードバック信号の電力が前記較正手段により決定されたトータル利得設定値に応じた信号電力より大きくなる場合には、そのトータル利得設定値が外部から送られてきた際に即座に前記第１利得設定値として前記
予備設定値が利用されるように、前記制御手段に設定する請求項５に記載の電力制御回路。
【請求項７】
前記入力信号を分岐する入力分岐手段と、
前記分岐された入力信号の電力を検出する入力電力検出手段と、
前記フィードバック信号の電力を検出する電力検出手段と、
を更に備え、
前記比較手段は、前記入力電力検出手段により検出される入力信号の電力と前記フィードバック信号の電力とから実利得を取得し、この実利得と前記トータル利得設定値とを比較する、
請求項１に記載の電力制御回路。
【請求項８】
トータル利得設定値に応じて入力信号の電力制御を行う電力制御方法において、
第１利得設定値に応じて、第１可変増幅器に所定の利得制御幅で前記入力信号を増幅させる第１増幅ステップと、
第２利得設定値に応じて、第２可変増幅器に前記第１増幅ステップよりも大きい利得制御幅で前記入力信号を増幅させる第２増幅ステップと、
前記第１増幅ステップ及び前記第２増幅ステップで電力制御された出力信号をフィードバック信号として分岐させる分岐ステップと、
前記フィードバック信号と前記トータル利得設定値とを比較する比較ステップと、
前記トータル利得設定値に基づいて第１利得設定値及び第２利得設定値を決定し、この第１利得設定値を前記第１増幅ステップへ送り、この第２利得設定値を前記第２増幅ステップへ送る制御ステップと、
前記比較ステップの比較結果に応じて、前記フィードバック信号の電力が前記トータル利得設定値に応じた信号電力となるように、前記制御ステップで決定される第１利得設定値及び第２利得設定値を調整する調整ステップと、
を実行し、
前記第２可変増幅器は、前記第２利得設定値に含まれる通常設定値に応じた利得により前記入力信号を増幅させる通常モードと、前記第２利得設定値に含まれる予備設定値に応じた、通常設定値に対応する利得とは異なる利得により、前記入力信号を増幅させる調整モードとを有し、
前記調整ステップは、前記比較ステップにより前記フィードバック信号の電力が前記トータル利得設定値に応じた信号電力より大きいと判断される場合には、前記第２可変増幅器を前記通常モードから前記調整モードに移行させる、
電力制御方法。
【発明の詳細な説明】
【技術分野】
【０００１】
本発明は、可変利得増幅器を用いた信号電力制御技術に関する。
【背景技術】
【０００２】
可変利得増幅器（ＶＧＡ）は、利得を制御信号に基づいて可変に制御する回路である。可変利得増幅器は、制御信号に含まれるゲインコードと呼ばれる利得設定値に対応する利得となるように利得制御する。このような可変利得増幅器に該当し利得調整幅が細かく微調整可能な増幅器（以降、微調アンプと表記する）とこの微調アンプよりも利得調整幅が粗い増幅器（以降、粗調アンプと表記する）とを組み合わせた電力制御回路により、入力信号の電力を線形に制御する手法がある。
【０００３】
図１６は、従来の電力制御回路を示す図である。図１６に示される従来の電力制御回路５０は、上述のように、微調アンプ５１、粗調アンプ５２及びデコーダ５３から構成される。
【０００４】
図１７は、微調アンプ５１及び粗調アンプ５２の利得特性を示すグラフである。微調アンプ５１及び粗調アンプ５２は、図１７に示される利得特性により、入力される信号をそれぞれ増幅する。微調アンプ５１及び粗調アンプ５２に入力されるゲインコードとそれに対応する利得との対応関係を利得特性と表記する。図１７では、グラフ左側のＡＭＰ．（ＦＩＮＥ）と示す比例直線が微調アンプ５１の利得特性を示し、グラフ右側の黒点が粗調アンプ５２の利得特性を示す。
【０００５】
微調アンプ５１及び粗調アンプ５２は、デコーダ５３から送られる各制御信号（図１７のゲインコード）を受け、この制御信号に応じた利得となるようにそれぞれ利得制御する。図１７の例によれば、微調アンプ５１は、ゲインコードＣＦ０からＣＦｍが与えられることにより利得が０（ｄＢ（デシベル））からＧ１（ｄＢ）まで利得制御される。粗調アンプ５２は、ゲインコードＣＣ０、ＣＣ１及びＣＣ２が与えられることにより０（ｄＢ）、Ｇ１（ｄＢ）及びＧ２（ｄＢ）の段階的な利得制御が行われる。
【０００６】
デコーダ５３は、外部の回路から入力される制御信号を受け、この制御信号をデコードすることによりゲインコードをその制御信号から抽出する。外部回路から送られるこのゲインコードは要求利得を示す設定値であり、この従来の電力制御回路５０から出力される信号の電力はこのゲインコードの示す設計上の利得に応じた電力となる。デコーダ５３は、この要求利得を示すゲインコード（以降、要求ゲインコードと表記する）に応じて、微調アンプ５１及び粗調アンプ５２に送るべき各ゲインコード（図１１に示されるゲインコード）をそれぞれ決定する。デコーダ５３は、決定された各ゲインコードをそれぞれ微調アンプ５１及び粗調アンプ５２に送る。
【０００７】
図１８は、従来の電力制御回路５０の利得制御の例を示すグラフである。図１８の例によれば、この電力制御回路５０の利得Ｇ１ｘ（ｄＢ）が要求される場合には、要求ゲインコードＣ１ｘを示す制御信号が電力制御回路５０に入力される。電力制御回路５０では、デコーダ５３が、制御信号からこの要求ゲインコードＣ１ｘを抽出し、この要求ゲインコードＣ１ｘで要求される利得を得るために必要となる微調アンプ５１及び粗調アンプ５２の各ゲインコードをそれぞれ決定する。図１８の例によれば、粗調アンプ５２のゲインコードはＣＣ１に決定され、微調アンプ５１のゲインコードは（Ｇ１ｘ−Ｇ１）（ｄＢ）の利得を得るためのコード（例えばＣＦ３）に決定される。
【０００８】
デコーダ５３は、このように決定されたゲインコードＣＣ１を粗調アンプ５２へ送り、ゲインコードＣＦ３を微調アンプ５１へ送る。結果として、図１８に示されるように、要求ゲインコードＣ１ｘに対応する利得Ｇ１ｘで制御された出力信号が電力制御回路５０から出力される。
【０００９】
このような従来の電力制御回路５０によれば、２つのアンプが組み合わされることにより大きな利得幅（図１８の例における０からＧ３）において利得を微調整することが可能となる。
【００１０】
なお、本願発明に係る先行技術文献として以下のような文献が開示されている。
【特許文献１】特開平１１−１７７３７１号公報
【発明の開示】
【発明が解決しようとする課題】
【００１１】
ところで、上記従来の電力制御回路５０では、図１９に示されるように、微調アンプ５１及び粗調アンプ５２の設計上（仕様上）取り得る利得特性と実際の制御動作において取る利得特性とでずれが生じる場合がある。以降、この設計上取り得る利得特性と実際の制御動作で取る利得特性とのずれを利得特性のずれと表記する。
【００１２】
図１９は、微調アンプ５１及び粗調アンプ５２における利得特性のずれの例を示すグラフである。図１９の例では、微調アンプ５１は、最大ゲインコードＣＦｍが入力された場合に、太実線で示される実際の制御動作における利得特性が長鎖線で示される設計上の利得特性からＤ１（ｄＢ）小さくなっている。粗調アンプ５２は、各ゲインコードに関し、黒点で示される実際の制御動作における利得特性が二重線の円で示される設計上の利得特性からＤ２（ｄＢ）大きくなっている。このような利得特性にずれが生じる原因としては、各回路の製造ばらつきや、温度変化等に伴う各回路の特性変動等が考えられる。
【００１３】
図２０は、従来の電力制御回路５０における利得制御のずれの例を示すグラフである。上述の図１９の例のように各アンプの利得特性にずれが生じた場合には、従来の電力制御回路５０の利得制御において図２０に示すようなずれが発生する。このとき、利得としてＧ１（ｄＢ）又はＧ２（ｄＢ）が要求される場合には、要求ゲインコードＣ１ｍ又はＣ２ｍが入力される。
【００１４】
しかしながら、このような利得特性のずれが生じる場合には、線形制御を可能とするはずの回路であるにも関わらず、従来の電力制御回路５０では、図２０のドットパターン領域で示される利得範囲を実現することができない。以降、このような利得制御不可能な利得範囲をゲインステップと表記する。
【００１５】
従って、従来の電力制御回路５０では、このようなゲインステップを生じさせないようにするために、上述のようなずれを加味し十分余裕が含まれるよう、微調アンプ５１及び粗調アンプ５２の利得特性を組み合わせていた。すなわち、微調アンプ５１と粗調アンプ５２とで出力利得の重なる範囲が大きくなるように設計していた。
【００１６】
しかしながら、このような設計手法を採る従来の電力制御回路５０では、微調アンプ５１と粗調アンプ５２とに取り得る利得範囲に重複が生ずる。よって、利得特性のずれが生じない場合にはそのような重複される利得範囲が利用されることもないため、従来の電力制御回路５０は効率のよい制御回路とは言えない。当然、そのような従来の電力制御回路５０は、無駄に回路規模も大きくなってしまう。
【００１７】
本発明の目的は、回路規模を抑え、高効率の電力制御を行う技術を提供することである
。
【課題を解決するための手段】
【００１８】
本発明の各態様では、上述した課題を解決するために、それぞれ以下の構成を採用する。即ち、本発明の第１の態様は、トータル利得設定値に応じて入力信号の電力制御を行う電力制御回路に関し、第１利得設定値に応じて所定の利得制御幅で入力信号を増幅させる微調可変増幅手段と、第２利得設定値に応じて上記微調可変増幅手段よりも大きい利得制御幅で入力信号を増幅させる粗調可変増幅手段と、上記微調可変増幅手段及び上記粗調可変増幅手段により電力制御された出力信号をフィードバック信号として分岐させる分岐手段と、上記フィードバック信号と上記トータル利得設定値とを比較する比較手段と、上記トータル利得設定値に基づいて第１利得設定値及び第２利得設定値を決定し、この第１利得設定値を微調可変増幅手段へ送り、この第２利得設定値を粗調可変増幅手段へ送る制御手段と、上記比較手段の比較結果に応じて、フィードバック信号の電力が上記トータル利得設定値に応じた信号電力となるように、上記制御手段で決定される第１利得設定値及び第２利得設定値を調整する調整手段と、を備える電力制御回路である。
【００１９】
本発明の第１の態様によれば、トータル利得設定値に基づいて制御手段により決定される第１利得設定値及び第２利得設定値に応じた利得で入力信号が微調可変増幅手段及び粗調可変増幅手段により電力制御され出力される。この出力される信号が分岐手段により分岐され、フィードバックされる。このフィードバック信号の電力とトータル利得設定値に応じた電力との比較結果に応じて、調整手段により上記制御手段により決定される第１利得設定値及び第２利得設定値が調整される。
【００２０】
これにより、本発明の第１態様における電力制御回路によれば、微調可変増幅手段及び粗調可変増幅手段に利得特性のずれが生じた場合であっても、トータル利得設定値に応じた利得となるように制御され、所望の電力の出力信号を得ることができる。更に、本発明の第１態様によれば、このような効果を得るために、微調可変増幅手段及び粗調可変増幅手段の各利得範囲に重複を設ける必要もなく、無駄に回路規模を大きくすることもない。
【００２１】
また、本発明の第１の態様において好ましくは、上記粗調可変増幅手段が、第２利得設定値に含まれる通常設定値に応じた利得により入力信号を増幅させる通常モードと、第２利得設定値に含まれる予備設定値に応じた、通常設定値に対応する利得とは異なる利得により、入力信号を増幅させる調整モードとを有するように構成してもよい。この場合、上記調整手段は、上記比較手段によりフィードバック信号の電力がトータル利得設定値に応じた信号電力より大きいと判断される場合には、第２利得設定値として前記予備設定値を利用するように調整すればよい（以降、第１好適態様と表記する）。
【００２２】
ここで、第２利得設定値に含まれる通常設定値及び予備設定値はそれぞれ区別可能な状態に構成されればよいものであり、異なる値が設定されることに限定されるものではない。例えば、通常設定値及び予備設定値はそれぞれ異なる範囲の値を取ることも含むし、それぞれ同じ値を取るようにして予備設定値を示すフラグ或いは調整モードへの移行指示を示す値が別途送られることも含む。
【００２３】
この第１好適態様では、上記調整手段により、フィードバック信号の電力がトータル利得設定値に応じた信号電力よりも大きいか否かが判断される。この判断は、利得特性のずれにより生じたゲインステップの検知を意味する。上記調整手段は、フィードバック信号の電力がトータル利得設定値に対応する信号電力相当となるように、例えば、利得制御幅が細かい（小さい）微調可変増幅手段の第１利得設定値を徐々に変えていき、それでも満たされない場合に利得制御幅の粗い粗調可変増幅手段の第２利得設定値を変える。このような調整手段による調整の結果、フィードバック信号の電力がトータル利得設定値に応じ
た信号電力よりも大きくなるのは、ゲインステップが生じたからである。
【００２４】
このゲインステップが検知されると、粗調可変増幅器へ送られる第２利得設定値が予備設定値に決定され、粗調可変増幅器は、調整モードで動作するようになる。これにより、粗調可変増幅器が通常モードで動作している場合に生じたゲインステップが調整モードへ移行されることにより通常モードとは異なる利得を得ることができるため、このゲインステップを解消することができる。これは、予備設定値を利用することにより粗調可変増幅手段の利得制御幅を、微調可変増幅手段の利得制御幅よりは粗いものの、より小さく（細かく）することができるからである。このような構成における粗調可変増幅手段では、通常設定値のみを使った利得制御より通常設定値及び予備設定値を使った利得制御のほうが、細かい利得制御幅となるように構成される。
【００２５】
この第１好適態様によれば、粗調可変増幅手段は、利得特性のずれが生じない場合には、利得制御幅が大きい通常モードで動作し、ゲインステップが生じた場合には、より利得制御幅が小さい調整モードで動作する。このように、通常時とゲインステップが生じた場合とで粗調可変増幅手段に送られる利得設定値を替えることによって、より効率的に電力制御をすることができる。
【００２６】
また、本発明の第１の態様において好ましくは、上記微調可変増幅手段が、第１利得設定値に含まれる通常設定値に応じた利得により入力信号を増幅させる通常モードと、この通常設定値で取り得る利得範囲を超えた範囲における、第１利得設定値に含まれる予備設定値に応じた利得により、入力信号を増幅させる調整モードとを有するように構成してもよい。この場合、上記調整手段が、前記比較手段により前記フィードバック信号の電力が前記トータル利得設定値に応じた信号電力より大きいと判断される場合には、前記第１利得設定値として前記予備設定値を利用するように調整すればよい（以降、第２好適態様と表記する）。
【００２７】
この第２好適態様では、上記第１好適態様と同様に、上記調整手段により、ゲインステップが検知される。このゲインステップが検知されると、微調可変増幅器へ送られる第１利得設定値が予備設定値に決定され、微調可変増幅器は、調整モードで動作するようになる。これにより、微調可変増幅器が通常モードで動作している場合に生じたゲインステップが調整モードへ移行されることにより通常モードで取り得る利得範囲を超えた範囲の利得を得ることができるため、このゲインステップを解消することができる。これは、予備設定値を利用することにより微調可変増幅手段の利得制御幅が通常モード時よりも拡張されるからである。このような構成における微調可変増幅手段では、通常設定値のみを使った利得制御より通常設定値及び予備設定値を使った利得制御のほうが、トータルで大きな利得幅を取ることができるように構成される。
【００２８】
この第２好適態様によれば、微調可変増幅手段は、利得特性のずれが生じない場合には、通常モードで動作し、ゲインステップが生じた場合には、利得制御幅が拡張された調整モードで動作する。このように、通常時とゲインステップが生じた場合とで微調可変増幅手段に送られる利得設定値を替えることによって、より効率的に電力制御をすることができる。
【００２９】
また、本発明の第１の態様において好ましくは、較正指示信号を受けると、トータル利得設定値を模擬的に決定する較正手段を更に備え、上記比較手段が、較正指示信号を受けた後のフィードバック信号と上記較正手段により決定されたトータル利得設定値とを比較し、上記調整手段が、上記比較手段の比較結果に応じた調整により、較正指示信号を受けた後のフィードバック信号の電力が上記較正手段により決定されたトータル利得設定値に応じた信号電力となった場合に、そのときに決定されている第１利得設定値及び第２利得
設定値がそのトータル利得設定値が外部から送られてきた際に即座に決定されるように前記制御手段に設定するように構成してもよい。
【００３０】
このような構成が上記第１好適態様に適用されれば、上記調整手段は、較正指示信号を受けた後のフィードバック信号の電力が上記較正手段により決定されたトータル利得設定値に応じた信号電力より大きくなる場合には、そのトータル利得設定値が外部から送られてきた際に即座に上記第２利得設定値として上記予備設定値が利用されるように上記制御手段に設定するように構成される。
【００３１】
一方、このような構成が上記第２好適態様に適用されれば、上記調整手段は、較正指示信号を受けた後のフィードバック信号の電力が上記較正手段により決定されたトータル利得設定値に応じた信号電力より大きくなる場合には、そのトータル利得設定値が外部から送られてきた際に即座に上記第１利得設定値として上記予備設定値が利用されるように上記制御手段に設定するように構成される。
【００３２】
このような構成では、較正時に、較正手段により模擬的に決定されるトータル利得設定値を利用して、調整手段による調整結果が制御手段に予め設定される。これにより、以後通常運転時において、制御手段は、利得特性のずれが加味された状態の第１利得設定値及び第２利得設定値を即座に決定することができる。
【００３３】
従って、通常運転時には、調整手段による調整処理が必要なくなるため、消費電力を抑えることができ、より高速の電力制御を実現することが可能となる。
【００３４】
なお、本発明の別態様として、以上の何れかの機能をコンピュータ、ＩＣチップ等に実現させる方法であってもよい。また、本発明の別態様としては、以上の何れかの機能を実現させるプログラムであってもよいし、そのようなプログラムを記録するコンピュータが読み取り可能な記憶媒体であってもよい。
【発明の効果】
【００３５】
本発明の態様によれば、回路規模を抑え、高効率の電力制御を行う技術を実現することができる。
【発明を実施するための最良の形態】
【００３６】
以下、図面を参照して、本発明を実施するための最良の形態（以下、実施形態という）に係る電力制御回路について説明する。本発明の実施形態における電力制御回路は、例えば、移動端末、基地局装置等の無線送受信機に搭載される信号処理回路内に含まれる。本実施形態における電力制御回路は、それを搭載する機器を限定するものではなく、アナログ信号、デジタル信号等の所定の信号の利得を可変に制御することが要求される回路に搭載される。以下に示す各実施形態の構成はそれぞれ例示であり、本発明は下記の各実施形態の構成に限定されない。
【００３７】
［第一実施形態］
本発明の第一実施形態における電力制御回路について、図面を参照して以下に説明する。
【００３８】
〔回路構成〕
まず、第一実施形態における電力制御回路の機能構成について図１を用いて説明する。図１は、第一実施形態における電力制御回路の回路構成の概略を示す機能ブロック図である。第一実施形態における電力制御回路５の各機能部は、ソフトウェアの構成要素、又はハードウェアの構成要素、若しくはこれらの組み合わせとしてそれぞれ実現される（［そ
の他］の項参照）。
【００３９】
第一実施形態における電力制御回路５は、実信号である入力信号及び要求ゲインコードを含む制御信号を受け、この入力信号を制御信号に含まれる要求ゲインコードに対応する利得となるように制御し、制御された信号を出力する。この要求ゲインコードが本発明の第１態様におけるトータル利得設定値に相当する。
【００４０】
第一実施形態における電力制御回路５は、このような可変利得制御を行うために、微調アンプ１１、粗調アンプ１２、分岐部（COUPLER）１３、電力検出部（DETECTOR）１４、調整アンプ１５、アナログデジタルコンバータ（以降、ＡＤＣと表記する）１６、比較器（COMPARATOR）１７、デコーダ（DECODER）１８、調整器（ADJUSTER）１９等を備える。微調アンプ１１は、本発明の第１態様における微調可変増幅手段に相当する。粗調アンプ１２は、本発明の第１態様における粗調可変増幅手段に相当する。
【００４１】
微調アンプ１１は、入力信号を調整器１９から送られるゲインコードに対応する利得となるように制御する。微調アンプ１１は、調整器１９から送られるゲインコードとこれに対応する利得との関係として、設計上、図２に示されるグラフの左側に示すような利得特性を持つ。調整器１９から微調アンプ１１へ送られるゲインコードが本発明の第１態様における第１利得設定値に相当する。
【００４２】
図２は、第一実施形態における微調アンプ１１及び粗調アンプ１２の設計上の利得特性を示すグラフである。図２に示すように、微調アンプ１１は、ＣＦ０からＣＦｍの各ゲインコードを調整器１９から受け、各ゲインコードに対応する利得０（ｄＢ）からＧ１（ｄＢ）で入力信号を電力制御する。図２の例によれば、設計上、微調アンプ１１は、ゲインコードＣＦｘを受けた場合には、Ｇ０１（ｄＢ）の利得を実現する。
【００４３】
しかしながら、微調アンプ１１から実際に出力される信号の利得は、製造ばらつきや温度変化等に伴い、図１９に示すようなずれを生ずる。このように微調アンプ１１でずれも含めて利得制御された信号は、粗調アンプ１２へ送られる。
【００４４】
粗調アンプ１２は、微調アンプ１１から出力される信号を入力信号として受け、この入力信号を調整器１９から送られるゲインコードに対応する利得で制御する。粗調アンプ１２は、調整器１９から送られるゲインコードとこれに対応する利得との関係として、設計上、図２に示されるグラフの右側に示すような利得特性を持つ。粗調アンプ１２は、グラフ右側の黒点で示すように、仕設計上、調整器１９からＣＣ０、ＣＣ１、ＣＣ２及びＣＣ３の各ゲインコードを受け、入力ゲインコードに対応する各利得０（ｄＢ）、Ｇ１（ｄＢ）、Ｇ２（ｄＢ）、Ｇ３（ｄＢ）で入力信号を電力制御する。この調整器１９から粗調アンプ１２へ送られるゲインコードが本発明の第１態様における第２利得設定値に相当する。
【００４５】
第一実施形態における粗調アンプ１２は、上述のような利得特性に加えて、図２グラフ右側の中抜き黒点に示されるように更に２段階の利得特性を持つ。以降、これら各段階をそれぞれ通常モード、第１調整モード、第２調整モードと表記し、このような各段階を利得特性モードと総称する。第一実施形態における粗調アンプ１２は、通常モード、第１調整モード及び第２調整モードの合計３段階の利得特性を持つ。
【００４６】
具体的には、第１調整モードでは、ゲインコードＣＣ１に対応する利得がＧ１１（ｄＢ）に変更され、ゲインコードＣＣ２に対応する利得がＧ２１（ｄＢ）に変更され、ゲインコードＣＣ３に対応する利得がＧ３１（ｄＢ）に変更される。第２調整モードでは、ＣＣ１に対応する利得がＧ１２（ｄＢ）に変更され、ゲインコードＣＣ２に対応する利得がＧ
２２（ｄＢ）に変更され、ゲインコードＣＣ３に対応する利得がＧ３２（ｄＢ）に変更される。
【００４７】
粗調アンプ１２は、このような利得特性モードの移行指示をゲインコードと共に調整器１９から与えられる。調整器１９から粗調アンプ１２へ送られる利得特性モードの移行指示は、図１に示すように専用の信号線により送られてもよいし、ゲインコードと共に所定のコードとして送られるようにしてもよい。また、本実施形態では、各利得特性モード間でゲインコードを同じに設定した場合の例を示したが、各利得特性モード間でそれぞれ別のゲインコードを割り当てるようにしてもよい。本実施形態における利得特性モードの移行指示及びそれに対応するゲインコードが本発明の第１態様における予備利得設定値に対応する。粗調アンプ１２によりずれも含めて所定の利得となるように制御された信号は、分岐部１３へ送られる。
【００４８】
粗調アンプ１２の利得特性モードの実現手法としては、例えば、各調整モードを実現する調整用のアンプをそれぞれ設けるようにしてもよいし、各調整モードのゲインコードを受け付けるゲートをそれぞれ設けるようにしてもよいし、バイアスを制御する機能部を設けるようにしてもよい。
【００４９】
分岐部１３は、粗調アンプ１２から出力されるＡＣ信号を本実施形態における電力制御回路５から出力する信号と、電力検出部１４へ送られる信号とに分岐する。
【００５０】
電力検出部１４は、分岐部１３から送られる分岐信号（ＡＣ信号）の電力を検出する。電力検出部１４は、検出された電力に基づいて、分岐信号をベースバンド信号に変換する。変換されたベースバンド信号は、調整アンプ１５に送られる。
【００５１】
調整アンプ１５は、ベースバンド信号の微弱な直流成分を増幅する。増幅されたベースバンド信号は、ＡＤＣ１６へ送られる。
【００５２】
ＡＤＣ１６は、入力されるアナログベースバンド信号を電力検出部１４により検出された信号電力を示すデジタルベースバンド信号に変換する。ＡＤＣ１６は、変換されたデジタルベースバンド信号を比較器１７へ送る。
【００５３】
デコーダ１８は、外部回路からの制御信号を受け、この制御信号をデコードすることにより、要求ゲインコードを取得する。取得された要求ゲインコードは、比較器１７に送られる。
【００５４】
更に、デコーダ１８は、微調アンプ１１及び粗調アンプ１２のそれぞれに関し、ゲインコードとそれに対応する利得との各対応関係（利得特性情報）をそれぞれ持つ。この利得特性情報を用いて、デコーダ１８は、制御信号から抽出された要求ゲインコードに対応する利得とするために、微調アンプ１１及び粗調アンプ１２へ送る各ゲインコードをそれぞれ決定する。なお、デコーダ１８の有する各アンプの利得特性情報は、仕様上の理想値となっており、利得特性のずれを加味したものではない。デコーダ１８は、このように仕様上の理想値に基づいて決定された微調アンプ１１のためのゲインコード及び粗調アンプ１２のためのゲインコードをそれぞれ調整器１９へ送る。
【００５５】
比較器１７は、ＡＤＣ１６から送られるデジタルベースバンド信号から、フィードバック信号の電力を取得する。比較器１７は、要求ゲインコードとそれに対応する利得との対応関係情報を有する。比較器１７は、デコーダ１８から送られる要求ゲインコードとこの対応関係情報とに基づいて、フィードバック信号の電力に対応する要求ゲインコードを取得する。ここで取得されるゲインコードは、電力制御回路５で利得制御された後の出力信
号の電力に対応する。以降、ここで取得される要求ゲインコードをフィードバックゲインコードと表記する。
【００５６】
比較器１７は、このフィードバックゲインコードとデコーダ１８から送られる要求ゲインコードとを比較する。言い換えれば、比較器１７は、外部回路から要求される利得と本実施形態における電力制御回路５により実現された利得とを比較して、実現された利得が要求された利得となっているか否かを判断する。比較器１７は、このフィードバックゲインコードと要求ゲインコードとの差（以降、コード差と表記する）を求める。比較器１７は、このコード差が許容される範囲にないと判断すると、このコード差を調整器１９へ送る。比較器１７は、このコード差が予め調整可能に保持される所定の閾値よりも大きい場合に、許容される範囲にないと判断するようにしてもよい。
【００５７】
調整器１９は、比較器１７から送られるコード差に基づいて、ずれている利得を要求ゲインコードに対応する利得にするために、デコーダ１８から送られる理想値の各ゲインコードをそれぞれ調整する。逆に、比較器１７からコード差が送られてこない又は比較器１７から送られるコード差が許容範囲であることを示す値となる場合には、調整器１９は、デコーダ１８から送られる各ゲインコードを調整せずそのまま微調アンプ１１及び粗調アンプ１２へそれぞれ送る。
【００５８】
調整器１９は、微調アンプ１１及び粗調アンプ１２により提供されるゲインコードの一覧、及び、粗調アンプ１２の利得特性モードに関する情報を保持する。調整器１９は、デコーダ１８から送られる各ゲインコードを調整する際に、この保持されるゲインコード一覧情報を利用する。
【００５９】
また、調整器１９は、各ゲインコードを調整するにあたり、粗調アンプ１２の利得特性モードの移行を決定する。調整器１９は、利得特性モードの移行を決定すると、粗調アンプ１２に対しその移行指示を出す。なお、調整器１９による各ゲインコードの具体的調整手法については後述する。調整器１９は、調整された各ゲインコードを微調アンプ１１及び粗調アンプ１２へ送ると共に、必要に応じて粗調アンプ１２へ移行指示を送る。
【００６０】
〔動作例〕
次に、上述の第一実施形態における電力制御回路５の動作例について、図３を用いて説明する。図３は、第一実施形態における電力制御回路５の利得制御を示すグラフである。
【００６１】
図３には、電力制御回路５を構成する微調アンプ１１及び粗調アンプ１２に、図１９に示される利得特性のずれが生じた場合の利得制御例が示されている。図３のうち、長鎖線が要求ゲインコードに対応する設計上の利得を示し、ドットパターン領域が従来の電力制御回路の場合に生ずるゲインステップを示し、太実線が第一実施形態における電力制御回路５で実現される利得の制御方法を示す。図３の太実線に示されるように、第一実施形態における電力制御回路５は、利得にゲインステップが生じないように制御する。
【００６２】
以下、外部回路から電力制御回路５に対し、要求利得Ｇ０１（ｄＢ）に対応する要求ゲインコードＣ０ｃを含む制御信号が入力される例を挙げ、第一実施形態における電力制御回路５の動作を説明する。
【００６３】
デコーダ１８は、この制御信号から要求ゲインコードＣ０ｃを抽出する。デコーダ１８は、この要求ゲインコードＣ０ｃに基づいて、微調アンプ１１へ送るべきゲインコードと粗調アンプ１２へ送るべきゲインコードとを決定する。この例では、デコーダ１８は、その要求ゲインコードＣ０ｃに対応する利得Ｇ０１（ｄＢ）を得るために、利得特性のずれを加味せず、図２に示されるように、微調アンプ１１へ送られるゲインコードＣＦｘを決
定し、粗調アンプ１２へ送られるゲインコードＣＣ０を決定する。ここでは、これら各ゲインコードが調整器１９で調整されず微調アンプ１１及び粗調アンプ１２へそれぞれ送られるものとする。
【００６４】
入力信号は、このように送られる各ゲインコードにより微調アンプ１１及び粗調アンプ１２で利得制御され、分岐部１３でフィードバックされる信号と本実施形態における電力制御回路５から出力される信号とに分岐される。分岐部１３でフィードバックされた信号は、電力検出部１４により電力が検出され、調整アンプ１５で増幅され、ＡＤＣ１６でデジタルベースバンド信号に変換された後、比較器１７へ送られる。
【００６５】
比較器１７では、デコーダ１８から送られる要求ゲインコードに対応する利得に基づいて、フィードバック信号の電力に対応するフィードバックゲインコードが決定される。上記例によれば、微調アンプ１１の利得特性のずれにより出力信号の利得がＧ０ｅ２となるため、比較器１７で決定されるフィードバックゲインコードは、Ｃ０ａとなるはずである。
【００６６】
一方で、デコーダ１８から比較器１７へ送られる要求ゲインコードは、依然、Ｃ０ｃであり、デコーダ１８から調整器１９へ送られる微調アンプ１１のゲインコード及び粗調アンプ１２のゲインコードは、それぞれＣＦｘ及びＣＣ０である。
【００６７】
比較器１７は、フィードバックゲインコードＣ０ａと要求ゲインコードＣ０ｃとを比較し、これらの差を算出する。比較器１７は、この算出されたコード差が許容される範囲の差であるか否かを判断する。この場合、比較器１７は、コード差（Ｃ０ｃ−Ｃ０ａ）が許容されないと判断し、そのコード差を調整器１９へ送る。
【００６８】
調整器１９は、要求ゲインコードＣ０ｃに対応する微調アンプ１１のためのゲインコードＣＦｘ及び粗調アンプ１２のためのゲインコードＣＣ０と、比較器１７からのコード差（Ｃ０ｃ−Ｃ０ａ）を受けている。調整器１９は、比較器１７からコード差を受けていることから、各ゲインコードを調整すべきと判断する。
【００６９】
具体的には、調整器１９は、当該コード差に基づいて、微調アンプ１１のゲインコードを上げようと試みる。この場合、ゲインコードＣＦｘが微調アンプ１１の最大コードＣＦｍよりも小さいことから、調整器１９は、微調アンプ１１のゲインコードＣＦｘを更に上げる。ここでは、調整器１９により調整された結果、微調アンプ１１のためのゲインコードが最大ゲインコードＣＦｍに決定されたものとする。なお、本実施形態は、この調整器１９でのゲインコードの調整幅を限定するものではない。コード差の大きさに応じた幅でゲインコードを調整するようにしてもよいし、ゲインコードの最小単位で調整するようにしてもよい。このように調整された各ゲインコード（ＣＦｍ、ＣＣ０）がそれぞれ微調アンプ１１及び粗調アンプ１２へ送られる。
【００７０】
このように送られる各ゲインコードにより微調アンプ１１及び粗調アンプ１２で利得制御された実信号が再度分岐部１３でフィードバックされる。このフィードバックされる信号を出力した本実施形態における電力制御回路の実利得は、図１９に示される微調アンプ１１の利得特性のずれによりＧ０ｅ１（ｄＢ）となっている。
【００７１】
よって、比較器１７により、フィードバックゲインコードがＣ０ｂに決定される。比較器１７は、このフィードバックゲインコードＣ０ｂと要求ゲインコードＣ０ｃとのコード差が許容される範囲の差であるか否かを判断する。ここでは、比較器１７は、このコード差（Ｃ０ｃ−Ｃ０ｂ）が許容されないと判断し、このコード差を調整器１９へ送る。
【００７２】
調整器１９は、前回調整された微調アンプ１１のためのゲインコードＣＦｍ及び粗調アンプ１２のためのゲインコードＣＣ０と、比較器１７からのコード差（Ｃ０ｃ−Ｃ０ｂ）を受けている。調整器１９は、比較器１７からコード差を受けていることから、各ゲインコードを更に調整すべきと判断する。
【００７３】
具体的には、調整器１９は、当該コード差に基づいて、微調アンプ１１のゲインコードを再度上げようと試みる。この場合、ゲインコードＣＦｍは、微調アンプ１１の最大コードとなっているため、調整器１９は、粗調アンプ１２のゲインコードを上げることでＣＣ１とし、微調アンプ１１のゲインコードをリセットし初期値ＣＦ０とする。このように調整された各ゲインコード（ＣＦ０、ＣＣ１）がそれぞれ微調アンプ１１及び粗調アンプ１２へ送られる。
【００７４】
このように送られる各ゲインコードにより微調アンプ１１及び粗調アンプ１２で利得制御された実信号が再度分岐部１３でフィードバックされる。このフィードバックされる信号を出力した本実施形態における電力制御回路の実利得は、図１９に示される粗調アンプ１２の利得特性のずれによりＧ１ｅ２（ｄＢ）となっている。
【００７５】
よって、比較器１７により、フィードバックゲインコードがＣ１ａに決定される。比較器１７は、このフィードバックゲインコードＣ１ａと要求ゲインコードＣ０ｃとのコード差が許容される範囲の差であるか否かを判断する。ここでは、比較器１７は、このコード差（Ｃ０ｃ−Ｃ１ａ）が許容されないと判断し、このコード差を調整器１９へ送る。
【００７６】
調整器１９は、前回調整された微調アンプ１１のためのゲインコードＣＦ０及び粗調アンプ１２のためのゲインコードＣＣ１と、比較器１７からのコード差（Ｃ０ｃ−Ｃ１ａ）を受けている。調整器１９は、比較器１７からのコード差に基づいて、フィードバックゲインコードのほうが要求ゲインコードよりも大きいと判断する。この判断により、調整器１９は、このフィードバックゲインコードを得るための前回の調整で粗調アンプ１２のゲインコードが上げられ微調アンプ１１のゲインコードがリセットされていることから、ゲインステップが発生したと判断する。
【００７７】
ゲインステップの発生を検知すると、調整器１９は、粗調アンプ１２の利得特性モードの移行を決定する。具体的には、調整器１９は、現在の利得特性モードである通常モードから第１調整モードへ移行するよう決定する。調整器１９は、微調アンプ１１及び粗調アンプ１２へ前回と同様の各ゲインコード（ＣＦ０、ＣＣ１）をそれぞれ送ると共に、粗調アンプ１２に対して第１調整モードへの移行指示を送る。
【００７８】
粗調アンプ１２は、第１調整モードへの移行指示により、図２に示される第１調整モードの利得特性を持つように自己調整する。これにより、微調アンプ１１及び第１調整モードとなった粗調アンプ１２が、ゲインコードＣＦ０及びＣＣ１に応じて、入力信号を電力制御する。このように制御された実信号は再度分岐部１３でフィードバックされる。このフィードバックされる信号を出力した本実施形態における電力制御回路の実利得は、図１９に示される粗調アンプ１２の利得特性のずれによりＧ０ｅ３（ｄＢ）となっている。
【００７９】
よって、比較器１７により、フィードバックゲインコードがＣ０ｄに決定される。比較器１７は、このフィードバックゲインコードＣ０ｄと要求ゲインコードＣ０ｃとのコード差が許容される範囲の差であるか否かを判断する。ここでは、比較器１７は、このコード差（Ｃ０ｃ−Ｃ０ｄ）が許容されないと判断し、このコード差を調整器１９へ送る。
【００８０】
調整器１９は、前回利用された微調アンプ１１のためのゲインコードＣＦ０及び粗調アンプ１２のためのゲインコードＣＣ１と、比較器１７からのコード差（Ｃ０ｃ−Ｃ０ｄ）
を受けている。調整器１９は、比較器１７からのコード差に基づいて、フィードバックゲインコードのほうが要求ゲインコードよりも依然大きいと判断する。この判断により、調整器１９は、前回の利得特性モードの移行ではゲインステップが解消されていないと判断する。
【００８１】
これにより、調整器１９は、粗調アンプ１２の利得特性モードの更なる移行を決定する。具体的には、調整器１９は、粗調アンプ１２の利得特性モードを現在の第１調整モードから第２調整モードへ移行することを決定する。調整器１９は、微調アンプ１１及び粗調アンプ１２へ前回と同様の各ゲインコード（ＣＦ０、ＣＣ１）をそれぞれ送ると共に、粗調アンプ１２に対して第２調整モードへの移行指示を送る。
【００８２】
粗調アンプ１２は、第２調整モードへの移行指示により、図２に示される第２調整モードの利得特性を持つように自己調整する。微調アンプ１１及び第２調整モードとなった粗調アンプ１２により利得制御された実信号は再度分岐部１３でフィードバックされる。このフィードバックされる信号を出力した本実施形態における電力制御回路の実利得は、図１９に示される粗調アンプ１２の利得特性のずれによりＧ０ｅ２（ｄＢ）となっている。
【００８３】
よって、比較器１７により、フィードバックゲインコードがＣ０ａに決定される。このときも、比較器１７は、このフィードバックゲインコードＣ０ａと要求ゲインコードＣ０ｃとのコード差が許容される範囲（Ｃ０ｃ−Ｃ０ａ）にないと判断し、このコード差を調整器１９へ送る。
【００８４】
調整器１９は、先程調整された微調アンプ１１のためのゲインコードＣＦ０及び粗調アンプ１２のためのゲインコードＣＣ１と、比較器１７からのコード差（Ｃ０ｃ−Ｃ０ａ）を受けている。このとき、調整器１９は、第２調整モードへの移行後、フィードバックゲインコードＣ０ａが要求ゲインコードＣ０ｃよりも小さくなったことから、ゲインステップが解消したと判断する。これにより、調整器１９は、粗調アンプ１２の利得特性を第２調整モードに固定したまま、微調アンプ１１のゲインコードを上げるように試みる。これにより、調整器１９は、第２調整モードの粗調アンプ１２へ前回と同様のゲインコードＣＣ１を送り、微調アンプ１１へ前回のゲインコードＣＦ０から調整されたゲインコードを送る。
【００８５】
以降、上述と同様のフィードバック制御により、比較器１７により決定されるフィードバックゲインコードが要求ゲインコードＣ０ｃと等しくなる若しくは双方の差が許容範囲内に収まる（図３に示される星印）まで、調整器１９により微調アンプ１１のゲインコードが調整される。なお、このとき、粗調アンプ１２は第２調整モードであり、粗調アンプ１２へ送られるゲインコードはＣＣ１である。
【００８６】
このように、第一実施形態における電力制御回路５によれば、微調アンプ１１及び粗調アンプ１２に利得特性のずれが生じた場合であっても、粗調アンプ１２の利得特性モードを用いることによりゲインステップを解消することができる。
【００８７】
図３のグラフに示すように、要求出力利得Ｇ２ｅ２に対応する要求ゲインコードＣ１ｂまでは、第２調整モードの粗調アンプ１２にゲインコードＣＣ１を与えながら、微調アンプ１１へのゲインコードをＣＦｍまで徐々に調整することにより対応可能である。
【００８８】
利得としてＧ２ｅ２より若干大きい利得が要求される場合に、再度、粗調アンプ１２の調整モードの移行が行われる。この場合、調整器１９は、微調アンプ１１のゲインコードが最大コードのＣＦｍとなっていることから、粗調アンプ１２の調整モードを通常モードへ戻し微調アンプ１１のゲインコードをリセットしＣＦ０に戻す。以降、上述のフィード
バック制御により、所望の利得が得られるまで、微調アンプ１１のゲインコードが調整される。このとき、粗調アンプ１２は通常モードであり、粗調アンプ１２へ送られるゲインコードはＣＣ１である。
【００８９】
なお、調整器１９により粗調アンプ１２の利得特性モードの移行が決定される前に、第２調整モードのまま、一度、粗調アンプ１２のゲインコードをＣＣ２に上げるようにしてもよい。この場合、第２調整モードの粗調アンプ１２では、図３の例に示すように利得Ｇ２ｅ３とＧ２ｅ２との間のゲインステップが生じている。よって、このゲインステップ検出後、上述と同様の粗調アンプ１２の調整モード移行を決定するようにしてもよい。以降、同様に、粗調アンプ１２の利得特性のモードが移行されながら、かつ粗調アンプ１２のゲインコード及び微調アンプ１１のゲインコードが調整され、ゲインステップが解消される。
【００９０】
〈第一実施形態における作用及び効果〉
第一実施形態における電力制御回路５では、外部回路から送られる制御信号に含まれる要求ゲインコードがデコーダ１８で抽出され、更にこのデコーダ１８においてこの要求ゲインコードに対応する微調アンプ１１及び粗調アンプ１２の各ゲインコードがそれぞれ決定される。デコーダ１８で決定された各ゲインコードは、比較器１７により決定されるフィードバックゲインコードと要求ゲインコードとのコード差に応じて、調整器１９により補正（調整）され、微調アンプ１１及び粗調アンプ１２へそれぞれ送られる。
【００９１】
このように第一実施形態における電力制御回路５は、微調アンプ１１及び粗調アンプ１２で利得制御された出力信号の信号利得を検証するためのフィードバック回路（分岐部１３、電力検出部１４、調整アンプ１５、ＡＤＣ１６）を有する。このフィードバック回路でフィードバックされる信号に応じたフィードバックゲインコードが比較器１７で生成され、このフィードバックゲインコードと外部からの要求ゲインコードとが比較されることにより、出力信号の信号利得が要求ゲインコードを満たしているか否かが検証される。
【００９２】
更に、第一実施形態における電力制御回路５を構成する粗調アンプ１２は、各ゲインコードに対する各出力利得との対応関係について、通常モード、第１調整モード及び第２調整モードの３段階の利得特性を持つように構成される。
【００９３】
第一実施形態における電力制御回路５では、微調アンプ１１及び粗調アンプ１２の利得特性のずれにより生じるゲインステップが上記フィードバックゲインコードと要求ゲインコードとの関係により検出される。
【００９４】
具体的には、順次フィードバックされるフィードバックゲインコードと要求ゲインコードとのコード差に応じて、調整器１９が微調アンプ１１のゲインコードを所定の調整幅で最大コードまで変えていく。微調アンプ１１のゲインコードが最大コードになると、粗調アンプ１２のゲインコードが上げられ微調アンプ１１のゲインコードが初期値に戻される。このとき、調整器１９では、調整前後でフィードバックゲインコードが要求ゲインコードよりも大きくなっていると判断された場合には、ゲインステップが発生しているものと判断される。
【００９５】
第一実施形態における電力制御回路５では、このようにゲインステップが検知されると、調整器１９から粗調アンプ１２へゲインコードと共に調整モード移行指示が出される。これにより、粗調アンプ１２の利得特性が指示された調整モードに応じた利得特性を持つように変更される。以降、調整器１９により当該コード差に基づいて微調アンプ１１のゲインコードが上記コード差が許容範囲内に収まるまで所定の調整幅で順次補正される。なお、このように粗調アンプ１２の利得特性モードが移行されてもなおゲインステップが検
知される場合には、微調アンプ１１のゲインコードをリセットするタイミングで再度粗調アンプ１２の利得特性モードの移行を決定する。
【００９６】
このように、第一実施形態における電力制御回路５は、出力信号が要求される信号電力を持つかどうかについてフィードバックされ、このフィードバックされる情報（フィードバックゲインコード）に基づいてゲインステップが検知される。ゲインステップが検知されると粗調アンプ１２の利得特性モードがそのゲインステップを解消するにように移行される。
【００９７】
従って、第一実施形態における電力制御回路５によれば、微調アンプ１１及び粗調アンプ１２について利得特性のずれを加味し十分な余裕を含めた設計をすることなく、ゲインステップを解消するよう利得制御することができる。更に、上記余裕を含めた設計とする必要がないため、回路規模、消費電力及び回路規模を抑えることができる。
【００９８】
〔第一実施形態における変形例〕
上述の第一実施形態では、図３の太実線で示されるような利得制御が実行されていた。すなわち、粗調アンプ１２の利得特性モードを第２調整モードまで移行させた後、微調アンプ１１のゲインコードが再度リセットされるタイミングで、粗調アンプ１２の利得特性モードが通常モードへ移行されていた。
【００９９】
本実施形態はこのような利得制御に限定されるものではなく、フィードバック信号によりゲインステップが検知され、このゲインステップが解消されるように粗調アンプ１２の利得特性モードが移行されればよい。図４は、第一実施形態の変形例における利得制御を示すグラフである。以下、図４を参照して、第一実施形態の変形例としての電力制御回路５の利得特性について説明する。
【０１００】
本変形例における電力制御回路５では、図４に示すように、粗調アンプ１２の利得特性モードを第２調整モードまで移行させた後、粗調アンプ１２の利得特性モードを戻すタイミングが第一実施形態とは異なる。
【０１０１】
本変形例では、調整器１９が、粗調アンプ１２のゲインコードを上げ微調アンプ１１のゲインコードを初期値に戻した際にフィードバックされるフィードバックゲインコードを比較器１７から受け、保持する。すなわち、変形例における調整器１９は、通常モード、第一調整モード及び第二調整モードとなった時点（微調アンプのゲインコードがリセットされた状態）でのフィードバックゲインコードをそれぞれ保持する。
【０１０２】
調整器１９は、第一実施形態と同様に、粗調アンプ１２の利得特性モードを第２調整モードまで移行させた後、微調アンプ１１のゲインコードを所定の調整幅で徐々に変えていく。調整器１９は、比較器１７から送られるフィードバックゲインコードが保持されるいずれかのフィードバックゲインコードと同一になるか否かを順次確認する。調整器１９は、そのときのフィードバックゲインコードが保持されるいずれかのフィードバックゲインコードと同一であると判断すると、その保持されるフィードバックゲインコードに対応する利得特性モードへの移行を決定する。
【０１０３】
図４の例では、調整器１９は、図３の例で説明したように、微調アンプ１１のゲインコードをＣＦ０に戻し（リセットし）、粗調アンプ１２のゲインコードをＣＣ１に上げた際の利得Ｇ１ｅ２に対応するフィードバックゲインコードＣ１ａを保持する。更に、調整器１９は、粗調アンプ１２の利得特性モードを第１調整モードへ移行した際の利得Ｇ０ｅ３に対応するフィードバックゲインコードＣ０ｄを保持し、粗調アンプ１２の利得特性モードを第２調整モードへ移行した際の利得Ｇ０ｅ２に対応するフィードバックゲインコード
Ｃ０ａを保持する。
【０１０４】
その後、調整器１９は、第２調整モードの粗調アンプ１２へゲインコードＣＣ１を送りつつ、微調アンプ１１のゲインコードを徐々に上げていく。結果として、調整器１９は、信号の利得Ｇ０ｅ３に対応するフィードバックゲインコードＣ０ｄを受ける。調整器１９は、このフィードバックゲインコードＣ０ｄが既に保持されていることを検出し、この保持されているフィードバックゲインコードＣ０ｄに対応する利得特性モード（第１調整モード）への移行を決定する。
【０１０５】
調整器１９は、同時に、微調アンプ１１のゲインコードを初期値ＣＦ０に戻す。結果として、調整器１９は、微調アンプ１１へゲインコードＣＦ０を送り、粗調アンプ１２へ第１調整モードへの移行指示を出し、粗調アンプ１２へゲインコードＣＣ１を送る。
【０１０６】
このように制御することにより、本変形例によれば、粗調アンプ１２の利得特性モードの移行前後で重複して得られる出力利得を減らすことができる。従って、要求ゲインコードに対応する出力利得を得るまでにかかる時間を減らすことができ、高速利得制御を実現することができる。
【０１０７】
［第二実施形態］
次に、本発明の第二実施形態における電力制御回路について、図面を参照して以下に説明する。上述の第一実施形態における電力制御回路５は、粗調アンプ１２に利得特性モードを設け、この利得特性モードを移行させることにより、ゲインステップが解消されるように利得制御していた。第二実施形態における電力制御回路５は、微調アンプ１１に利得特性モードを設け、この利得特性モードを移行させることにより、ゲインステップが解消されるように利得制御する。
【０１０８】
〔回路構成〕
第二実施形態における電力制御回路の機能構成について図５を用いて説明する。図５は、第二実施形態における電力制御回路の回路構成の概略を示す機能ブロック図である。第二実施形態における電力制御回路５は、第一実施形態の電力制御回路５が粗調アンプ１２の利得特性モードが移行されていたのに対して、微調アンプ１１の利得特性モードが移行される。以下、第二実施形態において第一実施形態と機能が変わる機能部についてのみ説明する。
【０１０９】
図６は、第二実施形態における微調アンプ１１及び粗調アンプ１２の利得特性を示すグラフである。図６のグラフ右側に示すように、粗調アンプ１２の利得特性は、利得特性モードを持たないことを除いて、第一実施形態と同様である。
【０１１０】
一方、微調アンプ１１は、図６のグラフ左側に示すように、実線で示される通常モードと２重線で示される調整モードとを利得特性モードとして有する。具体的には、微調アンプ１１は、通常モードとしてＣＦ０からＣＦｍの各ゲインコードを持ち、調整モードとして更にＣＦｍ以降のゲインコード（例えば、図６のＣＦｅ１、ＣＦｅ２）を持つ。
【０１１１】
微調アンプ１１は、通常モード時には、利得として０（ｄＢ）からＧ１（ｄＢ）までの値を実現するのに対して、調整モード時には、更に利得としてＧ１からＧ１３（ｄＢ）までの値も併せて実現する。微調アンプ１１は、調整器１９からモード移行信号を受けることにより、通常モードから調整モードへ或いは調整モードから通常モードへ移行する。微調アンプ１１は、調整モードへの移行指示を受けると、通常モード時に設けられていたゲインコードＣＦ０からＣＦｍに加えて、図６に示される調整モードのための追加ゲインコードＣＦｍからＣＦｅｍを受付可能とする。
【０１１２】
本実施形態では、利得特性モードの移行指示を受けると調整モードのための追加ゲインコードを受付可能とするよう構成したが、この利得特性モードの移行指示を受けることなく、追加ゲインコードを受けることで調整モードへ移行するようにしてもよい。本実施形態における利得特性モードの移行指示及びそれに対応するゲインコードが本発明の第１態様における予備利得設定値に対応する。
【０１１３】
微調アンプ１１の利得特性モードの実現手法としては、例えば、調整モードを実現する調整用のアンプを設けるようにしてもよいし、各調整モードのゲインコードを受け付けるゲートをそれぞれ設けるようにしてもよいし、バイアスを制御する機能部を設けるようにしてもよい。
【０１１４】
調整器１９は、第一実施形態と同様に、ゲインステップを解消するように、微調アンプ１１及び粗調アンプ１２の各ゲインコードをそれぞれ調整する。第二実施形態における調整器１９は、微調アンプ１１の通常モードの利得特性に加えて、調整モードの利得特性を保持する。すなわち、調整器１９は、微調アンプ１１の調整モード時に提供される追加ゲインコードとそれに対応する利得を保持する。
【０１１５】
調整器１９は、第一実施形態と同様に、比較器１７からのコード差に基づいてゲインステップが検知された場合であって微調アンプ１１のゲインコードが最大ゲインコードＣＦｍとなっている場合に、微調アンプ１１の利得特性モードの移行を決定する。調整器１９は、この移行を決定すると、微調アンプ１１へモード移行指示を送ると共に、調整モードに対応する追加ゲインコードを送る。第二実施形態における調整器１９による各ゲインコードの具体的調整手法について以下に述べる。
【０１１６】
〔動作例〕
次に、上述の第二実施形態における電力制御回路５の動作例について、図７及び８を用いて説明する。図７及び８は、第二実施形態における電力制御回路５の動作例を示すグラフである。
【０１１７】
図７及び８には、電力制御回路５を構成する微調アンプ１１及び粗調アンプ１２に、図１９に示される利得特性のずれが生じた場合の動作例が示されている。図７及び８のうち、長鎖線が要求ゲインコードに対応する設計上の利得を示し、ドットパターン領域が従来の電力制御回路の場合に生ずるゲインステップを示し、太実線及び二重線が第二実施形態における電力制御回路５により実現される利得の制御方法を示す。図７及び８の太実線に示されるように、第二実施形態における電力制御回路５は、利得にゲインステップが生じないように制御する。
【０１１８】
以下、外部回路から電力制御回路５に対し、要求出力利得Ｇ１（ｄＢ）に対応する要求ゲインコードＣ１ｍを含む制御信号が入力される例を挙げ、第二実施形態における電力制御回路５の動作を説明する。
【０１１９】
まず、デコーダ１８は、制御信号から要求ゲインコードＣ１ｍを抽出する。デコーダ１８は、この要求ゲインコードＣ１ｍに基づいて、利得特性のずれを加味せず、図６に示される微調アンプ１１のためのゲインコードＣＦｍ及び粗調アンプ１２のためのゲインコードＣＣ０を決定する。ここでは、このように決定された各ゲインコードが調整器１９で調整されず微調アンプ１１及び粗調アンプ１２へそれぞれ送られるものとする。
【０１２０】
このような各ゲインコードにより微調アンプ１１及び粗調アンプ１２で利得制御された実信号が再度分岐部１３でフィードバックされる。このフィードバックされる信号を出力
した本実施形態における電力制御回路の実利得は、図１９に示される微調アンプ１１の利得特性のずれによりＧ０ｅ１（ｄＢ）となっている。これに伴い、比較器１７により、フィードバックゲインコードがＣ１ｃに決定される。
【０１２１】
このとき、比較器１７には、デコーダ１８から要求ゲインコードＣ１ｍが入力されている。また、デコーダ１８から調整器１９へ送られる微調アンプ１１のゲインコード及び粗調アンプ１２のゲインコードはそれぞれＣＦｍ及びＣＣ０のままである。
【０１２２】
比較器１７は、フィードバックゲインコードＣ１ｃと要求ゲインコードＣ１ｍとを比較し、これらの差を算出する。比較器１７は、この算出されたコード差（Ｃ１ｍ−Ｃ１ｃ）が許容されないと判断し、そのコード差を調整器１９へ送る。
【０１２３】
調整器１９は、このコード差（Ｃ１ｍ−Ｃ１ｃ）に基づいて、微調アンプ１１のゲインコードを上げようと試みる。この場合、ゲインコードが微調アンプ１１の最大コードＣＦｍとなっていることから、調整器１９は、粗調アンプ１２のゲインコードをＣＣ１に上げ、微調アンプ１１のゲインコードをリセットしＣＦ０とする。これら各ゲインコード（ＣＦ０、ＣＣ１）が微調アンプ１１及び粗調アンプ１２へ送られる。
【０１２４】
このような各ゲインコードにより微調アンプ１１及び粗調アンプ１２で利得制御された実信号が再度分岐部１３でフィードバックされる。このフィードバックされる信号を出力した本実施形態における電力制御回路の実利得は、図１９に示される微調アンプ１１の利得特性のずれによりＧ１ｅ２（ｄＢ）となっている。
【０１２５】
これに伴い、比較器１７により、フィードバックゲインコードがＣ１ａに決定される。比較器１７は、このフィードバックゲインコードＣ１ａと要求ゲインコードＣ１ｍとのコード差が許容される範囲の差であるか否かを判断する。ここでは、比較器１７は、このコード差（Ｃ１ａ−Ｃ１ｍ）が許容されないと判断し、このコード差を調整器１９へ送る。
【０１２６】
調整器１９は、デコーダ１８から送られた微調アンプ１１のためのゲインコードＣＦ０及び粗調アンプ１２のためのゲインコードＣＣ１と、比較器１７からのコード差（Ｃ１ａ−Ｃ１ｍ）を受けている。調整器１９は、比較器１７からのコード差に基づいて、フィードバックゲインコードのほうが要求ゲインコードよりも大きいと判断する。この判断により、調整器１９は、このフィードバックゲインコードを得るための前回の調整で粗調アンプ１２のゲインコードが上げられ微調アンプ１１のゲインコードがリセットされていることから、ゲインステップが発生したと判断する。
【０１２７】
ゲインステップの発生を検知すると、調整器１９は、微調アンプ１１の利得特性モードの移行を決定する。調整器１９は、微調アンプ１１の利得特性モードを現在の通常モードから調整モードへ移行するよう決定し、前回調整された粗調アンプ１２のゲインコードＣＣ１を元のＣＣ０に戻し、微調アンプ１１のゲインコードを調整モードに対応した追加ゲインコードに決定する。調整器１９は、微調アンプ１１の追加ゲインコードとして、例えば、図６に示されるゲインコードＣＦｅ１を決定する。調整器１９は、利得特性モードの移行信号及びそれに対応するゲインコードをそれぞれ微調アンプ１１へ送る。
【０１２８】
このように調整器１９により微調アンプ１１へ送られる追加ゲインコードが要求ゲインコードＣ１ｍに対応する利得Ｇ１が得られるまで調整される。図７の例では、調整モードの微調アンプ１１へ送られるゲインコードが、最大追加ゲインコードＣＦｅｍよりも小さいコードで所望の利得Ｇ１が得られている。
【０１２９】
このように、第二実施形態における電力制御回路５によれば、図８に示すように、微調
アンプ１１及び粗調アンプ１２にゲインステップが生じるような利得特性のずれが生じた場合であっても、微調アンプ１１の利得特性モードが変更されることにより、このゲインステップが解消される。
【０１３０】
〈第二実施形態における作用及び効果〉
第二実施形態における電力制御回路５では、第一実施形態と同様のフィードバック制御により、調整器１９によりデコーダ１８で決定された微調アンプ１１及び粗調アンプ１２の各ゲインコードが調整される。
【０１３１】
第二実施形態における電力制御回路５を構成する微調アンプ１１は、各ゲインコードに対する各出力利得との対応関係について通常モード及び調整モードの２段階の利得特性を持つように構成される。調整モード時には微調アンプ１１は、追加ゲインコードを更に有し、この追加ゲインコードに対応する出力利得を実現するように構成される。
【０１３２】
調整器１９では、第一実施形態と同様の手法によりゲインステップが検知されると、粗調アンプ１２のゲインコードが前回の値に戻され、微調アンプ１１の利得特性モードの移行が決定される。微調アンプ１１の利得特性モードが調整モードに決定されると、調整器１９により微調アンプ１１の追加ゲインコードが決定される。以降、調整器１９により微調アンプ１１の追加ゲインコードが当該コード差が許容範囲内に収まるまで所定の調整幅で最大追加ゲインコードまで順次調整される。
【０１３３】
このように、第二実施形態における電力制御回路５は、ゲインステップが検知されると微調アンプ１１の利得特性モードがそのゲインステップを解消するように移行される。
【０１３４】
従って、第二実施形態における電力制御回路５によれば、微調アンプ１１及び粗調アンプ１２について利得特性のずれを加味し十分な余裕を含めた設計をすることなく、ゲインステップを解消するよう利得制御することができる。更に、上記余裕を含めた設計とする必要がないため、回路規模、消費電力及び回路規模を抑えることができる。
【０１３５】
［第三実施形態］
次に、本発明の第三実施形態における電力制御回路について、図面を参照して以下に説明する。上述の第一実施形態における電力制御回路５は、デコーダ１８により外部回路からの要求ゲインコードに応じた微調アンプ１１及び粗調アンプ１２の各ゲインコードが決定され、これら各ゲインコードが調整器１９により各アンプで生ずる利得特性のずれに応じて調整（補正）された後、調整された各ゲインコードが微調アンプ１１及び粗調アンプ１２へ送られていた。第三実施形態における電力制御回路は、キャリブレーションモードを備え、このキャリブレーション動作時にデコーダ１８から出力される各ゲインコードが各アンプの利得特性のずれを加味したものとなるように制御する。
【０１３６】
〔回路構成〕
第三実施形態における電力制御回路の機能構成について図９を用いて説明する。図９は、第三実施形態における電力制御回路の回路構成の概略を示す機能ブロック図である。
【０１３７】
第三実施形態における電力制御回路２０は、キャリブレーションモードを有する。キャリブレーション動作時には、電力制御回路２０は、外部回路から較正信号及び較正指示信号を受信する。電力制御回路２０は、このキャリブレーション動作により、デコーダ１８の有する微調アンプ１１及び粗調アンプ１２に関するゲインコードと出力利得との各対応関係に関する情報を較正することで、デコーダ１８から出力される各ゲインコードが各アンプの利得特性のずれを加味したものとなるように制御する。
【０１３８】
第三実施形態における電力制御回路２０は、第一実施形態の電力制御回路５が有する調整器１９に替え、較正器（CALIBRATOR）２１を備える。以下、第一実施形態と異なる機能部を中心に説明する。
【０１３９】
微調アンプ１１及び粗調アンプ１２は、第一実施形態と同様であり、図２に示す利得特性及び利得特性モードを有し、例えば図１９に示す利得特性のずれを有するものとする。なお、要求ゲインコードとそれに対応する出力利得との関係は図１８に示す例を用いるものとする。
【０１４０】
デコーダ１８は、キャリブレーション時以外（通常動作時）には、第一実施形態と同様に外部回路から制御信号を受ける。デコーダ１８は、この制御信号から要求ゲインコードを抽出し、この要求ゲインコードに対応するように微調アンプ１１及び粗調アンプ１２の各ゲインコードをそれぞれ決定する。デコーダ１８は、各ゲインコードを決定するにあたり、利得特性情報を利用する。この利得特性情報とは、微調アンプ１１及び粗調アンプ１２のそれぞれに関するゲインコードとそれに対応する利得との各対応関係であって、利得特性のずれを加味しない仕様上の理想値に基づく情報である。
【０１４１】
更に、第三実施形態におけるデコーダ１８は、第一実施形態における調整器１９の有していた粗調アンプ１２の利得特性モードの移行に関する制御機能を有する。デコーダ１８は、図１０に示されるような利得特性情報に基づいて、各ゲインコードを決定すると共に粗調アンプ１２の利得特性モードの移行を決定する。
【０１４２】
図１０は、デコーダ１８の有する利得特性情報の例を示す図である。第三実施形態におけるデコーダ１８が有する利得特性情報は、図１０に示すように、第一実施形態と同様の要求ゲインコードと微調アンプ１１及び粗調アンプ１２の各ゲインコードとの対応関係の他、粗調アンプ１２の利得特性モードの情報を有する。デコーダ１８は、この利得特性情報をテーブル等の設定情報としてメモリ等に保持する。デコーダ１８は、このような利得特性情報に基づいて決定された微調アンプ１１及び粗調アンプ１２の各ゲインコードを微調アンプ１１及び粗調アンプ１２へ直接送ると共に、粗調アンプ１２の利得特性モードを移行する必要がある場合にはその移行指示を粗調アンプ１２へ送る。
【０１４３】
デコーダ１８は、キャリブレーション時には、較正器２１から微調アンプ１１及び粗調アンプ１２の各ゲインコード、及び粗調アンプ１２の利得特性モード移行指示を受ける。このとき、デコーダ１８は、較正器２１から送られる各ゲインコードをそのまま微調アンプ１１及び粗調アンプ１２へそれぞれ送り、かつ、利得特性モード移行指示をそのまま粗調アンプ１２へ送る。
【０１４４】
同様に、キャリブレーション時に、デコーダ１８は、較正器２１から上記利得特性情報の更新指示を受ける。デコーダ１８は、較正器２１から利得特性情報の更新指示を受けると、この指示に含まれる情報により利得特性情報を更新する。
【０１４５】
較正器２１は、デコーダ１８により保持される利得特性情報と同一の情報を保持する。較正器２１により保持されるこの利得特性情報は、設定情報としてメモリ等に保持される。なお、較正器２１は、キャリブレーション動作時に、デコーダ１８から最新の利得特性情報を取得するようにしてもよい。
【０１４６】
較正器２１は、外部回路から較正指示信号を受けると、キャリブレーション動作を開始する。キャリブレーション動作を開始すると、まず、較正器２１は、較正のために利用する要求ゲインコード（以降、較正ゲインコードと表記する）を決定する。較正器２１は、自身が保持する利得特性情報に基づいて、この較正ゲインコードに対応する出力利得を得
るための微調アンプ１１及び粗調アンプ１２の各ゲインコードをそれぞれ決定する。較正器２１は、決定された各ゲインコードをそれぞれデコーダ１８へ送り、較正ゲインコードを比較器１７へ送る。
【０１４７】
較正器２１は、比較器１７からフィードバックゲインコードと較正ゲインコードとのコード差を受ける。較正器２１は、このコード差に基づいて、先に決定された微調アンプ１１及び粗調アンプ１２の各ゲインコードを第一実施形態の調整器１９と同じ手法により調整（補正）する。較正器２１は、比較器１７から送られてくる情報によりコード差が許容範囲内にあると判断されるまで、この調整を繰り返す。較正器２１は、この調整において粗調アンプ１２の利得特性モードを移行する必要があると判断した場合には、その利得特性モードの移行指示も併せてデコーダ１８へ送る。
【０１４８】
較正器２１は、コード差が許容範囲内にあると判断されると、そのときに決定されている各ゲインコードがその較正ゲインコードに対応する実測値であると決定する。較正器２１は、各ゲインコードの実測値を決定すると、自身が保持する利得特性情報をその値で更新し、次の較正ゲインコードを決定する。
【０１４９】
このように、較正器２１は、電力制御回路２０で許容されている要求ゲインコードについてこの処理を繰り返すことにより、自身が保持する利得特性情報を較正する。較正器２１は、利得特性情報の較正を完了すると、その情報と共に利得特性情報の更新指示をデコーダ１８へ送る。
【０１５０】
分岐部１３、電力検出部１４、調整アンプ１５及びＡＤＣ１６については、第一実施形態と同様である。
【０１５１】
比較器１７は、第一実施形態と同様に、フィードバックゲインコードを決定する。一方で、比較器１７は、較正ゲインコードを較正器２１から受ける。比較器１７は、フィードバックゲインコードと較正ゲインコードとを比較する。比較器１７は、フィードバックゲインコードと較正ゲインコードとのコード差が許容範囲にないと判断すると、そのコード差を較正器２１へ送る。比較器１７によるコード差の決定手法については第一実施形態と同様である。
【０１５２】
〔動作例〕
次に、上述の第三実施形態における電力制御回路２０の動作例について、図３を用いて説明する。ここでは、第三実施形態における電力制御回路２０では、要求ゲインコードが図３の例のようにＣ０からＣ３ｍまで用意されているものとする。
【０１５３】
電力制御回路２０は、外部回路から較正信号と共に較正指示信号を受けると、キャリブレーション動作を開始する。
【０１５４】
較正器２１は、較正指示信号を受けると、較正ゲインコードをＣ０からＣ３ｍまで徐々に変化させ、比較器１７から送られるその較正ゲインコードとそれに対応するフィードバックゲインコードとのコード差に基づいて、その較正ゲインコードに対応する各アンプのゲインコードを較正する。なお、較正器２１による所定の較正ゲインコードに対応する各アンプのゲインコードの決定手法については第一実施形態と同様である。以下、図３の例に沿って、較正器２１が、較正ゲインコードとしてＣ０ｃを決定した場合の動作例を説明する。
【０１５５】
較正器２１は、較正ゲインコードＣ０ｃを決定すると、自身で保持する利得特性情報（図１０参照）に基づいて、微調アンプ１１のゲインコードＣＦｘ及び粗調アンプ１２のゲ
インコードＣＣ０を決定し、かつ、粗調アンプ１２の利得特性モードを通常モードと決定する。較正器２１は、ゲインコードＣＦｘを微調アンプ１１へ送り、ゲインコードＣＣ０を粗調アンプ１２へ送る。更に、較正器２１は、較正ゲインコードＣ０ｃを比較器１７へ送る。
【０１５６】
微調アンプ１１及び粗調アンプ１２は、このようにデコーダ１８から送られる各ゲインコードに応じて、外部回路から入力される較正信号の利得制御を行う。較正信号は、微調アンプ１１及び粗調アンプ１２で利得制御され、分岐部１３でフィードバックされる。このフィードバック信号が利用されることにより、較正ゲインコードに応じて利得制御された本実施形態の電力制御回路で実現される実利得に対応するフィードバックゲインコードが比較器１７で決定される。この場合、第一実施形態で述べたように、出力信号の利得がＧ０ｅ２となるため、比較器１７で決定されるフィードバックゲインコードはＣ０ａとなる。
【０１５７】
比較器１７は、フィードバックゲインコードＣ０ａと較正ゲインコードＣ０ｃとを比較し、これらの差を算出する。比較器１７は、この算出されたコード差が許容される範囲の差であるか否かを判断する。この場合、比較器１７は、コード差（Ｃ０ｃ−Ｃ０ａ）が許容されないと判断し、そのコード差を較正器２１へ送る。
【０１５８】
較正器２１は、比較器１７からコード差を受けていることから、各ゲインコードを調整すべきと判断する。具体的には、較正器２１は、当該コード差に基づいて、微調アンプ１１のゲインコードを上げようと試みる。この場合、ゲインコードＣＦｘが微調アンプ１１の最大コードＣＦｍよりも小さいことから、較正器２１は、微調アンプ１１のゲインコードＣＦｘを更に上げる。ここでは、較正器２１により調整された結果、微調アンプ１１のためのゲインコードが最大ゲインコードＣＦｍに決定されたものとする。なお、この較正器２１でのゲインコードの調整幅は、第一実施形態のおける調整器１９と同様に、どのような幅で調整されてもよい。このように調整された各ゲインコード（ＣＦｍ、ＣＣ０）がそれぞれ微調アンプ１１及び粗調アンプ１２へ送られる。
【０１５９】
このように送られる各ゲインコードにより微調アンプ１１及び粗調アンプ１２で利得制御された較正信号が再度分岐部１３でフィードバックされる。このフィードバックされる信号を出力した本実施形態における電力制御回路の実利得は、Ｇ０ｅ１（ｄＢ）となる。これに伴い比較器１７によりフィードバックゲインコードＣ０ｂが決定される。
【０１６０】
較正器２１は、比較器１７からこのフィードバックゲインコードＣ０ｂと較正ゲインコードＣ０ｃとのコード差（Ｃ０ｃ−Ｃ０ｂ）を受け、各ゲインコードを更に調整すべきと判断する。
【０１６１】
較正器２１は、当該コード差に基づいて、微調アンプ１１のゲインコードを再度上げようと試みる。この場合、ゲインコードＣＦｍは、微調アンプ１１の最大コードとなっているため、調整器１９は、粗調アンプ１２のゲインコードをＣＣ１に上げ、微調アンプ１１のゲインコードをリセットし初期値ＣＦ０とする。このように調整された各ゲインコード（ＣＦ０、ＣＣ１）がそれぞれ微調アンプ１１及び粗調アンプ１２へ送られる。
【０１６２】
このように送られる各ゲインコードにより微調アンプ１１及び粗調アンプ１２で利得制御された実信号が再度分岐部１３でフィードバックされる。このフィードバックされる信号を出力した本実施形態における電力制御回路の実利得は、Ｇ１ｅ２（ｄＢ）となる。これに伴い、ＡＤＣ１６により、フィードバックゲインコードＣ１ａが決定される。
【０１６３】
較正器２１は、比較器１７からのこのフィードバックゲインコードＣ１ａと較正ゲイン
コードＣ０ｃとのコード差（Ｃ０ｃ−Ｃ１ａ）を受け、フィードバックゲインコードのほうが較正ゲインコードよりも大きいと判断する。この判断により、較正器２１は、このフィードバックゲインコードを得るための前回の調整で粗調アンプ１２のゲインコードが上げられ微調アンプ１１のゲインコードがリセットされていることから、ゲインステップが発生したと判断する。
【０１６４】
ゲインステップの発生を検知すると、較正器２１は、粗調アンプ１２の利得特性モードの移行を決定する。具体的には、較正器２１は、現在の利得特性モードである通常モードから第１調整モードへ移行するよう決定する。較正器２１は、微調アンプ１１及び粗調アンプ１２へ前回と同様の各ゲインコード（ＣＦ０、ＣＣ１）をそれぞれ送ると共に、粗調アンプ１２に対して第１調整モードへの移行指示を送る。
【０１６５】
その後、微調アンプ１１及び第１調整モードとなった粗調アンプ１２が、ゲインコードＣＦ０及びＣＣ１に応じて、較正信号を利得制御する。このように利得制御された較正信号は再度分岐部１３でフィードバックされる。このフィードバックされる信号を出力した本実施形態における電力制御回路の実利得Ｇ０ｅ３（ｄＢ）に対応するフィードバックゲインコードは、Ｃ０ｄに決定される。
【０１６６】
較正器２１は、フィードバックゲインコードＣ０ｄと較正ゲインコードＣ０ｃとのコード差が許容される範囲の差でないため比較器１７からコード差（Ｃ０ｃ−Ｃ０ｄ）を受ける。較正器２１は、比較器１７からのコード差に基づいて、フィードバックゲインコードのほうが較正ゲインコードよりも依然大きいと判断する。この判断により、較正器２１は、前回の利得特性モードの移行ではゲインステップが解消されていないと判断する。
【０１６７】
これにより、較正器２１は、粗調アンプ１２の利得特性モードの更なる移行を決定する。具体的には、較正器２１は、粗調アンプ１２の利得特性モードを現在の第１調整モードから第２調整モードへ移行することを決定する。較正器２１は、微調アンプ１１及び粗調アンプ１２へ前回と同様の各ゲインコード（ＣＦ０、ＣＣ１）をそれぞれ送ると共に、粗調アンプ１２に対して第２調整モードへの移行指示を送る。
【０１６８】
その後、微調アンプ１１及び第２調整モードとなった粗調アンプ１２が、ゲインコードＣＦ０及びＣＣ１に応じて、較正信号を利得制御する。このように利得制御された較正信号は再度分岐部１３でフィードバックされる。このフィードバックされる信号を出力した本実施形態における電力制御回路の実利得Ｇ０ｅ２（ｄＢ）に対応するフィードバックゲインコードは、Ｃ０ａに決定される。
【０１６９】
較正器２１は、フィードバックゲインコードＣ０ａと較正ゲインコードＣ０ｃとのコード差が許容される範囲の差でないため比較器１７からコード差（Ｃ０ｃ−Ｃ０ａ）を受ける。較正器２１は、第２調整モードへの移行後、フィードバックゲインコードＣ０ａが較正ゲインコードＣ０ｃよりも小さくなったことから、ゲインステップが解消したと判断する。これにより、較正器２１は、粗調アンプ１２の利得特性を第２調整モードに固定したまま、微調アンプ１１のゲインコードを上げるように試みる。これにより、較正器２１は、第２調整モードの粗調アンプ１２へ前回と同様のゲインコードＣＣ１を送り、微調アンプ１１へ前回のゲインコードＣＦ０から調整されたゲインコードを送る。
【０１７０】
以降、第一実施形態と同様のフィードバック制御により、比較器１７で決定されるフィードバックゲインコードが較正ゲインコードＣ０ｃと等しくなる若しくは双方の差が許容範囲内に収まる（図３に示される星印）まで、較正器２１により微調アンプ１１のゲインコードが調整される。なお、このとき、粗調アンプ１２は第２調整モードであり、粗調アンプ１２へ送られるゲインコードはＣＣ１である。
【０１７１】
較正器２１は、フィードバックゲインコードと較正ゲインコードとのコード差が許容範囲内に収まると判断すると、そのときに決定されている微調アンプ１１のゲインコード（ここではＣＦｃとする）及び粗調アンプ１２のゲインコードＣＣ１、並びに粗調アンプ１２の利得特性モードとして第２調整モードを、較正ゲインコードＣ０ｃに対応する各値として、自身で保持する利得特性情報に反映させる。図１１は、較正器２１で較正された後の利得特性情報の例を示す図である。
【０１７２】
較正器２１は、このように利得特性情報の較正を終えると、較正された利得特性情報を更新指示と共にデコーダ１８へ送る。デコーダ１８は、この更新指示を受けると、それと共に送られる利得特性情報で自身で保持する利得特性情報を更新する。例えば、デコーダ１８は、更新後、図１１に示すような利得特性情報を持つことになる。なお、利得特性情報の更新指示は、キャリブレーション動作が全て完了した後、較正器２１からデコーダ１８へ送られてもよいし、所定の較正ゲインコードについて各値が較正された際に送られるようにしてもよい。
【０１７３】
このように、第三実施形態における電力制御回路２０によれば、キャリブレーション動作時にデコーダ１８の有する利得特性情報が微調アンプ１１及び粗調アンプ１２の利得特性のずれを加味した状態に較正される。従って、通常動作時には、デコーダ１８により決定される要求ゲインコードに対応する各ゲインコードでそのまま利得制御されたとしても、ゲインステップが生じることがなくなる。
【０１７４】
また、第三実施形態における較正器２１の各アンプのゲインコード調整手法及び粗調アンプ１２の利得特性モード移行決定手法は、第一実施形態における調整器１９と同様であり、変形例等で上述された調整器１９の機能をそのまま踏襲可能である。
【０１７５】
〈第三実施形態における作用及び効果〉
第三実施形態における電力制御回路２０では、外部回路から較正信号及び較正指示信号を受けることにより、キャリブレーション動作が開始される。このキャリブレーション動作時には、較正器２１により較正ゲインコードが決定され、決定された各較正ゲインコードを要求ゲインコードとして第一実施形態と同様のフィードバック制御が実行される。
【０１７６】
すなわち、比較器１７において、フィードバックゲインコードと較正器２１で決定された較正ゲインコードとのコード差が取得され、このコード差が較正器２１へ送られる。
【０１７７】
較正器２１では、比較器１７からのコード差に基づいて、このコード差が許容範囲内となるように、第一実施形態における調整器１９と同様に微調アンプ１１及び粗調アンプ１２の各ゲインコードが調整される。更に、較正器２１では、第一実施形態における調整器１９と同様に当該コード差に基づいてゲインステップの発生が検知され、このゲインステップが解消されるように、粗調アンプ１２の利得特性モードの移行が決定される。
【０１７８】
このように、フィードバックゲインコードが較正ゲインコードと同等或いは許容範囲内の差を有する状態となるように、微調アンプ１１のゲインコード及び粗調アンプ１２のゲインコードが決定され、かつ粗調アンプ１２の利得特性モードが決定される。そして、このように決定された各情報がその較正ゲインコード（要求ゲインコード）に対応して微調アンプ１１及び粗調アンプ１２へ送られるように、デコーダ１８の利得特性情報が更新（較正）される。
【０１７９】
これにより、第三実施形態における電力制御回路２０によれば、キャリブレーション動作完了後の通常動作時において、デコーダ１８により決定される要求ゲインコードに対応
する各ゲインコード及び粗調アンプ１２の利得特性モードでそのまま利得制御されたとしても、利得の線形制御を実現することができる。
【０１８０】
［第四実施形態］
次に、本発明の第四実施形態における電力制御回路について、図面を参照して以下に説明する。上述の第三実施形態における電力制御回路２０は、第一実施形態と同様の微調アンプ１１及び粗調アンプ１２を対象としていた。第四実施形態における電力制御回路は、第二実施形態と同様の微調アンプ１１及び粗調アンプ１２を対象とする。
【０１８１】
〔回路構成〕
第四実施形態における電力制御回路の機能構成について図１２を用いて説明する。図１２は、第四実施形態における電力制御回路の回路構成の概略を示す機能ブロック図である。
【０１８２】
第四実施形態における電力制御回路２０では、第二実施形態と同様に、微調アンプ１１が利得特性モードを持つ。従って、第四実施形態における電力制御回路２０では、デコーダ１８の有する利得特性情報には粗調アンプ１２の利得特性モードの替わりに微調アンプ１１の利得特性モードに関する情報が含まれる。これらに関連する機能以外については、第三実施形態と同様である。以下、第三実施形態と異なる機能部を中心に説明する。
【０１８３】
微調アンプ１１及び粗調アンプ１２は、第二実施形態と同様であり、図６に示す利得特性及び利得特性モードを有し、図１９に示す利得特性のずれを有する。なお、要求ゲインコードとそれに対応する出力利得との関係は図１８に示すとおりである。
【０１８４】
第四実施形態におけるデコーダ１８及び較正器２１は、微調アンプ１１の利得特性モードの移行を決定すること及び微調アンプ１１の追加ゲインコードを決定することを除き、第三実施形態と同様の機能を有する。図１３は、第四実施形態におけるデコーダ１８の有する利得特性情報の例を示す図である。なお、較正器２１もこのデコーダ１８の有する利得特性情報と同一の情報を保持する。
【０１８５】
図１３に示すように、デコーダ１８は、要求ゲインコードに対応する値として、微調アンプ１１のゲインコード及び粗調アンプ１２のゲインコード並びに微調アンプ１１の利得特性モードに関する情報をこの利得特性情報として保持する。微調アンプ１１の利得特性モードが調整モードとなる場合には、微調アンプ１１のゲインコードとして追加ゲインコードが設定される。デコーダ１８は、このような利得特性情報に基づいて、微調アンプ１１及び粗調アンプ１２の各ゲインコードを決定すると共に微調アンプ１１の利得特性モードの移行を決定する。デコーダ１８は、移行が決定された場合には、その移行指示を微調アンプ１１へ送る。
【０１８６】
較正器２１は、キャリブレーション動作時に、第二実施形態における調整器１９と同様のゲインコード調整手法等により、自身の保持する利得特性情報を微調アンプ１１及び粗調アンプ１２の利得特性のずれが加味された情報となるように較正する。較正器２１は、このように較正された利得特性情報と共に、利得特性情報の更新指示をデコーダ１８へ送る。
【０１８７】
〔動作例〕
次に、上述の第四実施形態における電力制御回路２０の動作例について、図７を用いて説明する。
【０１８８】
第四実施形態における電力制御回路２０は、第三実施形態と同様に、外部回路から較正
信号と共に較正指示信号を受けると、キャリブレーション動作を開始する。キャリブレーション動作開始時には、デコーダ１８及び較正器２１は、図１３に示すような利得特性情報を有している。以下、図７の例に沿って、較正器２１が、較正ゲインコードとしてＣ１ｍを決定した場合の動作例を説明する。
【０１８９】
較正器２１は、較正ゲインコードＣ１ｍを決定すると、自身で保持する利得特性情報（図１３参照）に基づいて、微調アンプ１１のゲインコードＣＦｍ及び粗調アンプ１２のゲインコードＣＣ０を決定し、かつ、微調アンプ１１の利得特性モードを通常モードと決定する。較正器２１は、ゲインコードＣＦｍを微調アンプ１１へ送り、ゲインコードＣＣ０を粗調アンプ１２へ送る。更に、較正器２１は、較正ゲインコードＣ１ｍを比較器１７へ送る。
【０１９０】
微調アンプ１１及び粗調アンプ１２は、このようにデコーダ１８から送られる各ゲインコードに応じて、外部回路から入力される較正信号の利得制御を行う。この場合、第二実施形態で述べたように、出力信号の利得がＧ０ｅ１となるため、比較器１７で決定されるフィードバックゲインコードはＣ１ｃとなる。
【０１９１】
比較器１７は、フィードバックゲインコードＣ１ｃと較正ゲインコードＣ１ｍとを比較し、これらの差を算出する。比較器１７は、この算出されたコード差が許容される範囲の差であるか否かを判断する。この場合、比較器１７は、コード差（Ｃ１ｍ−Ｃ１ｃ）が許容されないと判断し、そのコード差を較正器２１へ送る。
【０１９２】
較正器２１は、比較器１７からコード差を受けていることから、各ゲインコードを調整すべきと判断する。較正器２１は、当該コード差に基づいて、微調アンプ１１のゲインコードを上げようと試みる。この場合、ゲインコードが微調アンプ１１の最大コードＣＦｍとなっていることから、較正器２１は、粗調アンプ１２のゲインコードをＣＣ１に上げ、微調アンプ１１のゲインコードをリセットしＣＦ０とする。このように調整された各ゲインコード（ＣＦ０、ＣＣ１）がそれぞれ微調アンプ１１及び粗調アンプ１２へ送られる。
【０１９３】
このように送られる各ゲインコードにより微調アンプ１１及び粗調アンプ１２で利得制御された較正信号が再度分岐部１３でフィードバックされる。このフィードバックされる信号が出力される際の実利得はＧ１ｅ２（ｄＢ）となる。これに伴いＡＤＣ１６によりフィードバックゲインコードＣ１ａが決定される。
【０１９４】
較正器２１は、比較器１７からこのフィードバックゲインコードＣ１ａと較正ゲインコードＣ１ｍとのコード差（Ｃ１ｍ−Ｃ１ａ）を受け、フィードバックゲインコードのほうが較正ゲインコードよりも大きいと判断する。この判断により、較正器２１は、このフィードバックゲインコードを得るための前回の調整で粗調アンプ１２のゲインコードが上げられ微調アンプ１１のゲインコードがリセットされていることから、ゲインステップが発生したと判断する。
【０１９５】
ゲインステップの発生を検知すると、較正器２１は、微調アンプ１１の利得特性モードの移行を決定する。具体的には、較正器２１は、微調アンプ１１の利得特性モードを現在の通常モードから調整モードへ移行するよう決定し、前回調整された粗調アンプ１２のゲインコードＣＣ１を元のＣＣ０に戻し、微調アンプ１１のゲインコードを調整モードに対応した追加ゲインコードに決定する。較正器２１は、微調アンプ１１の追加ゲインコードとして、例えば、図６に示されるゲインコードＣＦｅ１を決定する。較正器２１は、利得特性モードの移行信号及びそれに対応する追加ゲインコードをそれぞれ微調アンプ１１へ送り、ゲインコードＣＣ０を粗調アンプ１２へ送る。
【０１９６】
その後、調整モードとなった微調アンプ１１が追加ゲインコードに応じて較正信号を利得制御し、粗調アンプ１２がゲインコードＣＣ０に応じて較正信号を利得制御する。このように較正器２１により微調アンプ１１へ送られる追加ゲインコードが較正ゲインコードＣ１ｍに対応する出力利得Ｇ１が得られるまで調整される。図７の例では、調整モードの微調アンプ１１へ送られるゲインコードが、最大追加ゲインコードＣＦｅｍよりも小さいコードで所望の出力利得Ｇ１が得られている。
【０１９７】
較正器２１は、このように較正ゲインコードＣ１ｍに対応する出力利得Ｇ１を得るための微調アンプ１１の追加ゲインコード（例えば、ＣＦｅｃとする）及び粗調アンプ１２のゲインコードＣＣ０を決定すると、これらの情報を較正ゲインコードＣ１ｍに対応する情報として自身で保持する利得特性情報に反映させる。図１４は、較正器２１で較正された後の利得特性情報の例を示す図である。
【０１９８】
較正器２１は、このように利得特性情報の較正を終えると、較正された利得特性情報を更新指示と共にデコーダ１８へ送る。デコーダ１８は、この更新指示を受けると、それと共に送られる利得特性情報で自身で保持する利得特性情報を更新する。
【０１９９】
このように、第四実施形態における電力制御回路２０によれば、第三実施形態と同様に、キャリブレーション動作時にデコーダ１８の有する利得特性情報が微調アンプ１１及び粗調アンプ１２の利得特性のずれを加味した状態に較正される。
【０２００】
また、第四実施形態における較正器２１の各アンプのゲインコード調整手法及び微調アンプ１１の利得特性モード移行決定手法は、第二実施形態における調整器１９と同様である。従って、第四実施形態における較正器２１は、変形例等として上述された調整器１９の機能を持つようにしてもよい。
【０２０１】
〈第四実施形態における作用及び効果〉
第四実施形態における電力制御回路２０では、第二実施形態と同様の利得特性モードを有する微調アンプ１１を備える場合において、キャリブレーション動作時に、デコーダ１８の有する利得特性情報が較正される。
【０２０２】
較正器２１では、比較器１７からのコード差に基づいてこのコード差が許容範囲内となるように、第二実施形態における調整器１９と同様に微調アンプ１１及び粗調アンプ１２の各ゲインコードが調整される。更に、較正器２１では、第二実施形態における調整器１９と同様に当該コード差に基づいてゲインステップの発生が検知され、このゲインステップが解消されるように、微調アンプ１１の利得特性モードの移行が決定される。微調アンプ１１の利得特性モードが調整モードへ移行される場合には、それに対応する追加ゲインコードが決定される。
【０２０３】
このように決定された各情報が、その較正ゲインコード（要求ゲインコード）に対応して微調アンプ１１及び粗調アンプ１２へ送られるように、デコーダ１８の利得特性情報が更新（較正）される。
【０２０４】
これにより、第四実施形態における電力制御回路２０によれば、キャリブレーション動作完了後の通常動作時において、デコーダ１８により決定される要求ゲインコードに対応する各ゲインコード及び微調アンプ１１の利得特性モードでそのまま利得制御されたとしても、利得の線形制御を実現することができる。
【０２０５】
［第一変形例］
上述の第一実施形態から第四実施形態では、フィードバック回路として、分岐部１３、
電力検出部１４、調整アンプ１５及びＡＤＣ１６を有しており、フィードバックされる信号の電力が測定され、この測定された信号電力に対応するフィードバックゲインコードが比較器１７により取得されていた。
【０２０６】
上述の各実施形態における電力制御回路５又は２０は、微調アンプ１１及び粗調アンプ１２で利得制御される前の入力信号とフィードバック信号とから微調アンプ１１及び粗調アンプ１２の絶対利得を取得するようにし、この絶対利得に対応するフィードバックゲインコードが決定されるようにしてもよい（第一変形例）。
【０２０７】
図１５は、第一実施形態及び第二実施形態の第一変形例における電力制御回路３０の機能構成を示すブロック図である。
【０２０８】
図１５に示すように、第一変形例における電力制御回路３０は、上述の第一実施形態及び第二実施形態の構成に加えて、分岐部３１、電力検出部３２、調整アンプ３３、ＡＤＣ３４及び算出部（COMPUTING UNIT）３５を更に備える。第一変形例では、分岐部３１により利得制御される前の入力信号が分岐され、算出部３５によりこの入力信号の電力とフィードバック信号の電力とに基づいて微調アンプ１１及び粗調アンプ１２の絶対利得が取得される。算出部３５により取得された絶対利得は、比較器１７へ送られる。比較器１７は、この絶対利得に対応するフィードバックゲインコードを決定する。
【０２０９】
なお、図１５は、第一実施形態及び第二実施形態における電力制御回路５の変形例を示すが、第三実施形態及び第四実施形態における電力制御回路２０も同様の変形例を適用することが可能である。第三実施形態及び第四実施形態においても、利得制御される前の較正信号の電力とフィードバック信号の電力とに基づいて微調アンプ１１及び粗調アンプ１２の絶対利得が取得されるようにすればよい。
【０２１０】
［第二変形例］
上述の第三実施形態及び第四実施形態における電力制御回路２０では、較正器２１によりデコーダ１８の有する利得特性情報が微調アンプ１１及び粗調アンプ１２の利得特性のずれを加味した形で較正されていた。第三実施形態及び第四実施形態における電力制御回路２０は、デコーダ１８の利得特性情報を較正することなく、微調アンプ１１及び粗調アンプ１２の少なくとも１つのバイアスを制御することにより、ゲインステップを解消するようにしてもよい。
【０２１１】
また、上述の各実施形態では、入力信号が微調アンプ１１で利得制御され、その後、粗調アンプ１２で利得制御される接続順序を採用していたが、入力信号が粗調アンプ１２で利得制御され、その後、微調アンプ１１で利得制御される接続順序を取るようにしてもよい。
【０２１２】
［その他］
〈ハードウェアの構成要素（Component）及びソフトウェアの構成要素（Component）について〉
ハードウェアの構成要素とは、ハードウェア回路であり、例えば、フィールド・プログラマブル・ゲートウェイ（ＦＰＧＡ）、特定用途向け集積回路（ＡＳＩＣ）、ゲートアレイ、論理ゲートの組み合わせ、信号処理回路、アナログ回路等がある。
【０２１３】
ソフトウェアの構成要素とは、ソフトウェアとして上記機能を実現する部品（断片）であり、そのソフトウェアを実現する言語、開発環境等を限定する概念ではない。ソフトウェアの構成要素としては、例えば、タスク、プロセス、スレッド、ドライバ、ファームウェア、データベース、テーブル、関数、プロシジャ、サブルーチン、プログラムコードの
所定の部分、データ構造、配列、変数、パラメータ等がある。これらソフトウェアの構成要素は、１又は複数のメモリ（１または複数のプロセッサ（例えば、ＣＰＵ（Central Processing Unit）、ＤＳＰ（Digital Signal Processer）等）上で実現される。
【０２１４】
なお、上述の各実施形態は、上記各機能部の実現手法を限定するものではないため、上記各機能部は、上記ハードウェアの構成要素又はソフトウェアの構成要素若しくはこれらの組み合わせとして、本技術分野の通常の技術者において実現可能な手法により構成されていればよい。
【０２１５】
〈付記〉
本実施形態は次の発明態様を開示する。各項に開示される発明態様は、必要に応じて可能な限り組み合わせることができる。
【０２１６】
（付記１）
トータル利得設定値に応じて入力信号の電力制御を行う電力制御回路において、
第１利得設定値に応じて所定の利得制御幅で前記入力信号を増幅させる微調可変増幅手段と、
第２利得設定値に応じて前記微調可変増幅手段よりも大きい利得制御幅で前記入力信号を増幅させる粗調可変増幅手段と、
前記微調可変増幅手段及び前記粗調可変増幅手段により電力制御された出力信号をフィードバック信号として分岐させる分岐手段と、
前記フィードバック信号と前記トータル利得設定値とを比較する比較手段と、
前記トータル利得設定値に基づいて第１利得設定値及び第２利得設定値を決定し、この第１利得設定値を微調可変増幅手段へ送り、この第２利得設定値を粗調可変増幅手段へ送る制御手段と、
前記比較手段の比較結果に応じて、前記フィードバック信号の電力が前記トータル利得設定値に応じた信号電力となるように、前記制御手段で決定される第１利得設定値及び第２利得設定値を調整する調整手段と、
を備える電力制御回路。
【０２１７】
（付記２）
前記粗調可変増幅手段は、前記第２利得設定値に含まれる通常設定値に応じた利得により前記入力信号を増幅させる通常モードと、前記第２利得設定値に含まれる予備設定値に応じた、通常設定値に対応する利得とは異なる利得により、前記入力信号を増幅させる調整モードとを有し、
前記調整手段は、前記比較手段により前記フィードバック信号の電力が前記トータル利得設定値に応じた信号電力より大きいと判断される場合には、前記第２利得設定値として前記予備設定値を利用するように調整する、
付記１に記載の電力制御回路。
【０２１８】
（付記３）
較正指示信号を受けると、前記トータル利得設定値を模擬的に決定する較正手段を更に備え、
前記比較手段は、前記較正指示信号を受けた後のフィードバック信号と前記較正手段により決定されたトータル利得設定値とを比較し、
前記調整手段は、前記比較手段の比較結果に応じた調整により、前記較正指示信号を受けた後のフィードバック信号の電力が前記較正手段により決定されたトータル利得設定値に応じた信号電力となった場合に、そのときに決定されている第１利得設定値及び第２利得設定値がそのトータル利得設定値が外部から送られてきた際に即座に決定されるように前記制御手段に設定する、
付記１又は２に記載の電力制御回路。
【０２１９】
（付記４）
前記調整手段は、前記較正指示信号を受けた後のフィードバック信号の電力が前記較正手段により決定されたトータル利得設定値に応じた信号電力より大きくなる場合には、そのトータル利得設定値が外部から送られてきた際に即座に前記第２利得設定値として前記予備設定値が利用されるように、前記制御手段に設定する付記３に記載の電力制御回路。
【０２２０】
（付記５）
前記微調可変増幅手段は、前記第１利得設定値に含まれる通常設定値に応じた利得により前記入力信号を増幅させる通常モードと、この通常設定値で取り得る利得範囲を超えた範囲における、前記第１利得設定値に含まれる予備設定値に応じた利得により、前記入力信号を増幅させる調整モードとを有し、
前記調整手段は、前記比較手段により前記フィードバック信号の電力が前記トータル利得設定値に応じた信号電力より大きいと判断される場合には、前記第１利得設定値として前記予備設定値を利用するように調整する、
付記１に記載の電力制御回路。
【０２２１】
（付記６）
較正指示信号を受けると、前記トータル利得設定値を模擬的に決定する較正手段を更に備え、
前記比較手段は、前記較正指示信号を受けた後のフィードバック信号と前記較正手段により決定されたトータル利得設定値とを比較し、
前記調整手段は、前記比較手段の比較結果に応じた調整により、前記較正指示信号を受けた後のフィードバック信号の電力が前記較正手段により決定されたトータル利得設定値に応じた信号電力となった場合に、そのときに決定されている第１利得設定値及び第２利得設定値がそのトータル利得設定値が外部から送られてきた際に即座に決定されるように前記制御手段に設定する、
付記５に記載の電力制御回路。
【０２２２】
（付記７）
前記調整手段は、前記較正指示信号を受けた後のフィードバック信号の電力が前記較正手段により決定されたトータル利得設定値に応じた信号電力より大きくなる場合には、そのトータル利得設定値が外部から送られてきた際に即座に前記第１利得設定値として前記予備設定値が利用されるように、前記制御手段に設定する付記６に記載の電力制御回路。
【０２２３】
（付記８）
前記入力信号を分岐する入力分岐手段と、
前記分岐された入力信号の電力を検出する入力電力検出手段と、
前記フィードバック信号の電力を検出する電力検出手段と、
を更に備え、
前記比較手段は、前記入力電力検出手段により検出される入力信号の電力と前記フィードバック信号の電力とから実利得を取得し、この実利得と前記トータル利得設定値とを比較する、
付記１に記載の電力制御回路。
【０２２４】
（付記９）
トータル利得設定値に応じて入力信号の電力制御を行う電力制御方法において、
第１利得設定値に応じて、第１可変増幅器に所定の利得制御幅で前記入力信号を増幅させる第１増幅ステップと、
第２利得設定値に応じて、第２可変増幅器に前記第１増幅ステップよりも大きい利得制御幅で前記入力信号を増幅させる第２増幅ステップと、
前記第１増幅ステップ及び前記第２増幅ステップで電力制御された出力信号をフィードバック信号として分岐させる分岐ステップと、
前記フィードバック信号と前記トータル利得設定値とを比較する比較ステップと、
前記トータル利得設定値に基づいて第１利得設定値及び第２利得設定値を決定し、この第１利得設定値を微調可変増幅手段へ送り、この第２利得設定値を粗調可変増幅手段へ送る制御ステップと、
前記比較ステップの比較結果に応じて、前記フィードバック信号の電力が前記トータル利得設定値に応じた信号電力となるように、前記制御ステップで決定される第１利得設定値及び第２利得設定値を調整する調整ステップと、
を実行する電力制御方法。
【０２２５】
（付記１０）
前記第２可変増幅器は、前記第２利得設定値に含まれる通常設定値に応じた利得により前記入力信号を増幅させる通常モードと、前記第２利得設定値に含まれる予備設定値に応じた、通常設定値に対応する利得とは異なる利得により、前記入力信号を増幅させる調整モードとを有し、
前記調整ステップは、前記比較ステップにより前記フィードバック信号の電力が前記トータル利得設定値に応じた信号電力より大きいと判断される場合には、前記第２利得設定値として前記予備設定値を利用するように調整する、
付記９に記載の電力制御方法。
【０２２６】
（付記１１）
前記第１可変増幅器は、前記第１利得設定値に含まれる通常設定値に応じた利得により前記入力信号を増幅させる通常モードと、この通常設定値で取り得る利得範囲を超えた範囲における、前記第１利得設定値に含まれる予備設定値に応じた利得により、前記入力信号を増幅させる調整モードとを有し、
前記調整ステップは、前記比較ステップにより前記フィードバック信号の電力が前記トータル利得設定値に応じた信号電力より大きいと判断される場合には、前記第１利得設定値として前記予備設定値を利用するように調整する、
付記９に記載の電力制御方法。
【図面の簡単な説明】
【０２２７】
【図１】第一実施形態における電力制御回路の回路構成の概略を示す機能ブロック図である。
【図２】第一実施形態における微調アンプ及び粗調アンプの設計上の利得特性を示すグラフである。
【図３】第一実施形態における電力制御回路の利得制御を示すグラフである。
【図４】第一実施形態の変形例における利得制御を示すグラフである。
【図５】第二実施形態における電力制御回路の回路構成の概略を示す機能ブロック図である。
【図６】第二実施形態における微調アンプ及び粗調アンプの利得特性を示すグラフである。
【図７】第二実施形態における電力制御回路の動作例を示すグラフである。
【図８】第二実施形態における電力制御回路の動作例を示すグラフである。
【図９】第三実施形態における電力制御回路の回路構成の概略を示す機能ブロック図である。
【図１０】デコーダの有する利得特性情報の例を示す図である。
【図１１】較正器で較正された後の利得特性情報の例を示す図である。
【図１２】第四実施形態における電力制御回路の回路構成の概略を示す機能ブロック図である。
【図１３】第四実施形態におけるデコーダの有する利得特性情報の例を示す図である。
【図１４】較正器で較正された後の利得特性情報の例を示す図である。
【図１５】第一実施形態及び第二実施形態の第一変形例における電力制御回路の機能構成を示すブロック図である。
【図１６】従来手法による線形制御を可能とする可変利得増幅回路を示す図である。
【図１７】微調アンプ及び粗調アンプの利得特性を示すグラフである。
【図１８】従来の電力制御回路の利得制御の例を示すグラフである。
【図１９】微調アンプ及び粗調アンプにおける利得特性のずれの例を示すグラフである。
【図２０】従来の電力制御回路における利得制御のずれの例を示すグラフである。
【符号の説明】
【０２２８】
５、２０、３０、５０  電力制御回路
１１、５１  微調アンプ
１２、５２  粗調アンプ
１３、３１  分岐部（COUPLER）
１４、３２  電力検出部（DETECTOR）
１５、３３  調整アンプ
１６、３４  アナログデジタルコンバータ（ＡＤＣ）
１７  比較器（COMPARATOR）
１８、５３  デコーダ（DECODER）
１９  調整器（ADJUSTER）
２１  較正器（CALIBRATOR）
３５  算出部（COMPUTING UNIT）
【図１】
0005088131.tif 000002
【図２】
0005088131.tif 000003
【図３】
0005088131.tif 000004
【図４】
0005088131.tif 000005
【図５】
0005088131.tif 000006
【図６】
0005088131.tif 000007
【図７】
0005088131.tif 000008
【図８】
0005088131.tif 000009
【図９】
0005088131.tif 000010
【図１０】
0005088131.tif 000011
【図１１】
0005088131.tif 000012
【図１２】
0005088131.tif 000013
【図１３】
0005088131.tif 000014
【図１４】
0005088131.tif 000015
【図１５】
0005088131.tif 000016
【図１６】
0005088131.tif 000017
【図１７】
0005088131.tif 000018
【図１８】
0005088131.tif 000019
【図１９】
0005088131.tif 000020
【図２０】
0005088131.tif 000021